(57)【要約】  本文は、第１ネットワークエレメントは、ＵＥのカップリングリダイレクトをトリガーするトリガー方式を確定することと、前記第１ネットワークエレメントは、確定されたトリガー方式に従って前記ＵＥに対してカップリングリダイレクトの処理を行うことと、を含む、カップリングリダイレクト方法を開示した。本文は、カップリングリダイレクト装置、プロセッサーおよび記憶媒体も開示した。【選択図】図２
2021503747.tif 000002
【特許請求の範囲】
【請求項１】
第１ネットワークエレメントは、ユーザー機器ＵＥのカップリングリダイレクトをトリガーするトリガー方式を確定することと、
前記第１ネットワークエレメントは、確定されたトリガー方式に従って前記ＵＥに対してカップリングリダイレクトの処理を行うことと、
を含む、カップリングリダイレクト方法。
【請求項２】
前記トリガー方式は、
フローメッセージでトリガーするリダイレクト方式と、ＵＥがフロー定常状態にあるリダイレクト方式と、を含む、請求項１に記載のカップリングリダイレクト方法。
【請求項３】
前記トリガー方式が前記フローメッセージでトリガーするリダイレクト方式である場合、前記第１ネットワークエレメントは、確定されたトリガー方式に従って前記ＵＥに対してカップリングリダイレクトの処理を行うことは、
前記第１ネットワークエレメントは、第２ネットワークエレメントが送信したＵＥサービスフローの初期トリガーメッセージを受信し、前記初期トリガーメッセージを受信したカップリングで前記第２ネットワークエレメントにリダイレクト要求をフィードバックし、前記リダイレクト要求は、前記第２ネットワークエレメントに前記ＵＥを新しいカップリングにリダイレクトさせるとともに、前記第２ネットワークエレメントに前記新しいカップリングでリダイレクト確定を送信させて前記ＵＥのカップリングを新しいカップリングに更新させるために用いられることと、
前記第１ネットワークエレメントは、前記第２ネットワークエレメントが送信した前記ＵＥサービスフローの初期トリガーメッセージを受信し、新しいカップリングで前記第２ネットワークエレメントに、前記第１ネットワークエレメントが前記ＵＥを前記新しいカップリングにリダイレクトしたという通知情報を携帯する、リダイレクト確定を送信することと、
前記第１ネットワークエレメントは、前記第２ネットワークエレメントが送信した前記ＵＥサービスフローの初期トリガーメッセージを受信し、前記ＵＥのカップリング情報を前記初期トリガーメッセージを受信したカップリングに更新することと、のいずれかを含む、請求項２に記載のカップリングリダイレクト方法。
【請求項４】
前記第１ネットワークエレメントが、新しいカップリングで前記第２ネットワークエレメントにリダイレクト確定を送信する前に、
前記第１ネットワークエレメントは、所定またはサービス要因に基づいて、前記ＵＥを前記新しいカップリングにリダイレクトすること、をさらに含む、請求項３に記載のカップリングリダイレクト方法。
【請求項５】
前記第１ネットワークエレメントが、前記ＵＥのカップリング情報を前記初期トリガーメッセージを受信したカップリングに更新した後に、
前記第１ネットワークエレメントは、前記第２ネットワークエレメントに、前記ＵＥのカップリング情報の更新が完了したことを示すために用いられる、リダイレクト確定を返信すること、をさらに含む、請求項３に記載のカップリングリダイレクト方法。
【請求項６】
前記リダイレクト要求は、
リダイレクトされたユーザーの識別に用いられるユーザーアプリケーション層識別と、
有効である場合、ユーザーを本ネットワークエレメントの他のカップリングにリダイレクトするターゲットカップリングと、有効である場合、ユーザーを前記第１ネットワークエレメントの同じ種類のネットワークエレメントのカップリングにリダイレクトするターゲットインターフェースと、の２つのタイプのうちの少なくとも１つを含むリダイレクトターゲットと、
前記第２ネットワークエレメントが前記第１ネットワークエレメントに送信したが、処理されていないフロートリガーメッセージを携帯する、未処理メッセージ情報エレメントと、の少なくとも１つを含む、請求項３〜５のいずれか１項に記載のカップリングリダイレクト方法。
【請求項７】
前記リダイレクト確定は、
リダイレクトされたユーザーの識別に用いられるユーザーアプリケーション層識別と、
前記ＵＥがリダイレクトする前の元のカップリングが所属するネットワークエレメントのグローバルアプリケーション識別を携帯する、旧ネットワークエレメントのグローバルアプリケーション識別情報エレメントと、
前記第２ネットワークエレメントが前記第１ネットワークエレメントに送信したが、処理されていないメッセージを携帯する、未処理メッセージ情報エレメントと、の少なくとも１つを含む、請求項３〜５のいずれか１項に記載のカップリングリダイレクト方法。
【請求項８】
前記トリガー方式は前記ＵＥがフロー定常状態にあるリダイレクト方式である場合、前記第１ネットワークエレメントは、確定されたトリガー方式に従って前記ＵＥに対してカップリングリダイレクトの処理を行うことは、
前記第１ネットワークエレメントは、前記ＵＥを新しいカップリングにリダイレクトするリダイレクトタイプを確定することと、
前記第１ネットワークエレメントは、確定されたトリガー方式および前記リダイレクトタイプに従って前記ＵＥに対してカップリングリダイレクトの処理を行うことと、を含む、請求項２に記載のカップリングリダイレクト方法。
【請求項９】
前記リダイレクトタイプは、
前記第１ネットワークエレメントのカップリングのＵＥを、前記第１ネットワークエレメント内の新しいカップリングにリダイレクトすることと、
前記ＵＥを前記第１ネットワークエレメントの同じ種類のネットワークエレメントにリダイレクトすることと、を含む、請求項８に記載のカップリングリダイレクト方法。
【請求項１０】
前記リダイレクトタイプは、前記第１ネットワークエレメントのカップリングのＵＥを、前記第１ネットワークエレメント内の新しいカップリングにリダイレクトする場合、前記第１ネットワークエレメントは、
前記第１ネットワークエレメントは、高負荷のカップリングの一部のＵＥを低負荷の新しいカップリングにリダイレクトすることを確定することと、
前記第１ネットワークエレメントは、メンテナンスまたはサービスに関するニーズに基づいて、クローズすべきカップリングを確定し、前記クローズすべきカップリングのすべてのＵＥを新しいカップリングにリダイレクトすることと、
のいずれかの方式で、前記ＵＥを新しいカップリングにリダイレクトするリダイレクトタイプを確定する、請求項９に記載のカップリングリダイレクト方法。
【請求項１１】
前記リダイレクトタイプは、前記ＵＥを前記第１ネットワークエレメントの同じ種類のネットワークエレメントにリダイレクトする場合、前記第１ネットワークエレメントは、
前記第１ネットワークエレメントは、前記第１ネットワークエレメントの負荷が予め設定された値より大きいことを検出し、前記第１ネットワークエレメントのＵＥを前記第１ネットワークエレメントの同じ種類のネットワークエレメントにリダイレクトすることを確定することと、
前記第１ネットワークエレメントは、メンテナンスまたはサービスに関するニーズに基づいて、前記第１ネットワークエレメントにクローズまたはサービス停止することを確定し、前記第１ネットワークエレメントのＵＥを前記第１ネットワークエレメントの同じ種類のネットワークエレメントにリダイレクトすることと、
のいずれかの方式で、前記ＵＥを新しいカップリングにリダイレクトするリダイレクトタイプを確定する、請求項９に記載のカップリングリダイレクト方法。
【請求項１２】
前記第１ネットワークエレメントは、確定されたトリガー方式および前記リダイレクトタイプに従って前記ＵＥに対してカップリングリダイレクトの処理を行うことは、
前記第１ネットワークエレメントは、カップリングの下にあり、前記第１ネットワークエレメント内の新しいカップリングにリダイレクトされるＵＥを選択することと、
前記第１ネットワークエレメントは、前記新しいカップリングで前記第２ネットワークエレメントにリダイレクトコマンドを送信し、前記リダイレクトコマンドは、前記新しいカップリングにリダイレクトされるＵＥの情報リストを含み、かつネットワークエレメント内のカップリング間のリダイレクトであることを指示し、前記リダイレクトコマンドは、前記第２ネットワークエレメントに前記ＵＥを新しいカップリングにリダイレクトさせるために用いられることと、を含む、請求項１０に記載のカップリングリダイレクト方法。
【請求項１３】
前記第１ネットワークエレメントは、確定されたトリガー方式および前記リダイレクトタイプに従って前記ＵＥに対してカップリングリダイレクトの処理を行うことは、
前記第１ネットワークエレメントは、リダイレクトされるＵＥを選択すると同時にリダイレクトのターゲットカップリングを選択した場合、前記リダイレクトコマンドを前記第２ネットワークエレメントに送信すると同時に、前記ＵＥのカップリング情報を更新すること、を含む、請求項１０に記載のカップリングリダイレクト方法。
【請求項１４】
前記第１ネットワークエレメントは、確定されたトリガー方式および前記リダイレクトタイプに従って前記ＵＥに対してカップリングリダイレクトの処理を行うことは、
前記第１ネットワークエレメントは、新しいカップリングにリダイレクトされるＵＥの情報リストを選択し、前記ＵＥがリダイレクトされるターゲットカップリングを選択することと、
前記第１ネットワークエレメントは、前記ＵＥを前記ターゲットカップリングに割り当て、前記ターゲットカップリングで、カップリングリダイレクトが完了した前記ＵＥの情報リストを携帯する、リダイレクト指示を送信することと、を含む、請求項１０に記載のカップリングリダイレクト方法。
【請求項１５】
前記第１ネットワークエレメントは、確定されたトリガー方式および前記リダイレクトタイプに従って前記ＵＥに対してカップリングリダイレクトの処理を行うことは、
前記第１ネットワークエレメントは、前記第２ネットワークエレメントにリダイレクトコマンドを送信し、前記リダイレクトコマンドは、前記第１ネットワークエレメントの同じ種類のネットワークエレメントにリダイレクトされるＵＥの情報リストを携帯し、前記リダイレクトコマンドは、ネットワークエレメント間のカップリングリダイレクトを行う前記ＵＥを指示するために用いられること、を含む、請求項１１に記載のカップリングリダイレクト方法。
【請求項１６】
前記リダイレクトコマンドは、リダイレクトインターフェース情報と、リダイレクトカップリング情報と、の少なくとも１つを含む、請求項１２、１３、または１５に記載のカップリングリダイレクト方法。
【請求項１７】
前記リダイレクトインターフェース情報は、
有効である場合、前記第１ネットワークエレメントのすべてのユーザーがリダイレクトされる、リダイレクトインターフェース全ユーザー情報エレメントと、
有効である場合、前記第１ネットワークエレメントの一部のユーザーがリダイレクトされる、リダイレクトインターフェース一部ユーザー情報エレメントと、
リダイレクトされるユーザーの識別情報を携帯することに用いられ、１つ以上のユーザー識別情報を含むユーザーアプリケーション識別リスト情報エレメントと、
リダイレクトの候補ターゲットネットワークエレメントを指定するターゲットネットワークエレメント識別リスト情報エレメントであって、ターゲットネットワークエレメント識別リストを指定しない場合、前記第２ネットワークエレメントは、負荷に応じて、前記第１ネットワークエレメントと同じ種類のネットワークエレメントをターゲットの候補ネットワークエレメントとして選択する、前記ターゲットネットワークエレメント識別リスト情報エレメントと、のいずれかを含む、請求項１６に記載のカップリングリダイレクト方法。
【請求項１８】
前記リダイレクトカップリング情報は、
有効である場合、前記カップリングのすべてのユーザーがリダイレクトされる、リダイレクトカップリング全ユーザー情報エレメントと、
有効である場合、前記カップリングの一部のユーザーがリダイレクトされる、リダイレクトカップリング一部ユーザー情報エレメントと、
カップリングのリダイレクトされるユーザーの識別情報を携帯することに用いられ、１つ以上のユーザー識別情報を含むユーザーアプリケーション識別リスト情報エレメントと、
ネットワークエレメント内のカップリングリダイレクトが有効である場合、候補ターゲットカップリング情報を携帯することを実行する、ターゲットカップリングリスト情報エレメントと、
有効に設定されている場合、ネットワークエレメント間のカップリングリダイレクトを実行するターゲットネットワークエレメント識別であって、前記ターゲットカップリングリスト内のターゲットネットワークエレメント識別リストに指定されたネットワークエレメントを候補ネットワークエレメントとする、前記ターゲットネットワークエレメント識別と、を含む、請求項１６に記載のカップリングリダイレクト方法。
【請求項１９】
前記リダイレクト指示は、
カップリングにリダイレクトされるユーザーの情報リストを携帯し、１つ以上のユーザー識別情報を含む、リダイレクトユーザーリスト情報エレメントと、
ユーザーがネットワークエレメントをまたいでリダイレクトされるシーンで、新しいネットワークエレメントが旧ネットワークエレメントに対してＵＥコンテキスト情報を要求することに用いられる、旧ネットワークエレメントアプリケーション識別情報エレメントと、の少なくとも１つを含む、請求項１４に記載のカップリングリダイレクト方法。
【請求項２０】
第２ネットワークエレメントは、第１ネットワークエレメントにユーザー機器ＵＥのサービスフローの初期トリガーメッセージを送信することと、
前記第２ネットワークエレメントは、前記第１ネットワークエレメントが、前記初期トリガーメッセージを受信したカップリングでフィードバックしたリダイレクト要求を受信し、前記第２ネットワークエレメントは、前記リダイレクト要求に基づいて前記ＵＥを新しいカップリングにリダイレクトし、または、前記第２ネットワークエレメントは、前記第１ネットワークエレメントが新しいカップリングで送信したリダイレクト確定を受信し、前記リダイレクト確定は、前記第１ネットワークエレメントが前記ＵＥを新しいカップリングにリダイレクトしたという通知情報を携帯することと、
を含む、カップリングリダイレクト方法。
【請求項２１】
前記第２ネットワークエレメントは、前記リダイレクト要求に基づいて前記ＵＥを新しいカップリングにリダイレクトする前に、
前記リダイレクト要求が前記新しいカップリングのフラグを携帯する場合、前記第２ネットワークエレメントは、前記新しいカップリングのフラグに基づいて、前記新しいカップリングをマッチングすることと、
前記リダイレクト要求が前記新しいカップリングのフラグを携帯しなかった場合、前記第２ネットワークエレメントの決定で前記新しいカップリングを確定することと、をさらに含む、請求項２０に記載のカップリングリダイレクト方法。
【請求項２２】
前記第２ネットワークエレメントは、前記新しいカップリングのフラグに基づいて、前記新しいカップリングをマッチングすることは、
前記新しいカップリングのフラグが、新しいカップリングのトランスポートネットワーク層アドレスＴＮＬＡ情報を示す場合、前記第２ネットワークエレメントは、前記ＴＮＬＡ情報に基づいて新しいカップリングをマッチングすることと、
前記新しいカップリングのフラグが、新しいネットワークエレメントのグローバルアプリケーション識別を示す場合、前記第２ネットワークエレメントは、前記新しいネットワークエレメントのグローバルアプリケーション識別に基づいてリダイレクトのターゲットネットワークエレメントを選択し、前記ターゲットネットワークエレメントとの間で確立されたトランスポートカップリングにおいて新しいカップリングを選択することと、
前記新しいカップリングのフラグが、新しいカップリングの情報エレメントを示す場合、前記第２ネットワークエレメントは、前記第１ネットワークエレメント内の現在のカップリング以外のカップリングを選択して新しいカップリングとすることと、を含む、請求項２１に記載のカップリングリダイレクト方法。
【請求項２３】
前記第２ネットワークエレメントは、前記リダイレクト要求に基づいて前記ＵＥを新しいカップリングにリダイレクトする後に、
前記第２ネットワークエレメントは、新しいカップリングでリダイレクト要求を再送信し、または、リダイレクト確定を返信すること、をさらに含む、請求項２０に記載のカップリングリダイレクト方法。
【請求項２４】
前記リダイレクト要求は、前記ＵＥを識別することに用いられるユーザーアプリケーション層識別をさらに携帯する、請求項２０に記載のカップリングリダイレクト方法。
【請求項２５】
前記リダイレクト要求は、
リダイレクトされたユーザーの識別に用いられるユーザーアプリケーション層識別と、
有効である場合、ユーザーを本ネットワークエレメントの他のカップリングにリダイレクトするターゲットカップリングと、有効である場合、ユーザーを前記第１ネットワークエレメントの同じ種類のネットワークエレメントのカップリングにリダイレクトするターゲットインターフェースと、の２つのタイプのうちの少なくとも１つを含むリダイレクトターゲットと、
前記第２ネットワークエレメントが前記第１ネットワークエレメントに送信したが、処理されていないフロートリガーメッセージを携帯する、未処理メッセージ情報エレメントと、の少なくとも１つを含む、請求項２０〜２４のいずれか１項に記載のカップリングリダイレクト方法。
【請求項２６】
前記リダイレクト確定は、
リダイレクトされたユーザーの識別に用いられるユーザーアプリケーション層識別と、
前記ＵＥがリダイレクトする前の元のカップリングが所属するネットワークエレメントのグローバルアプリケーション識別を携帯する、旧ネットワークエレメントのグローバルアプリケーション識別情報エレメントと、
前記第２ネットワークエレメントが前記第１ネットワークエレメントに送信したが、処理されていないメッセージを携帯する、未処理メッセージ情報エレメントと、の少なくとも１つを含む、請求項２０〜２４のいずれか１項に記載のカップリングリダイレクト方法。
【請求項２７】
第２ネットワークエレメントは、第１ネットワークエレメントが新しいカップリングで送信した、新しいカップリングにリダイレクトされるユーザー機器ＵＥの情報リストを含む、リダイレクトコマンドを受信することと、
前記第２ネットワークエレメントは、前記リダイレクトコマンドに従って前記ＵＥに対してカップリングリダイレクトの処理を行うことと、
を含む、カップリングリダイレクト方法。
【請求項２８】
前記第２ネットワークエレメントは、前記リダイレクトコマンドに従って前記ＵＥに対してカップリングリダイレクトの処理を行うことは、
前記リダイレクトコマンドが、ネットワークエレメント内のカップリング間のリダイレクトであることを指示することに用いられる場合、前記第２ネットワークエレメントは、前記リダイレクトコマンドに従って、前記リダイレクトコマンドの中のＵＥのために１つまたは複数の新しいカップリングを選択し、前記リダイレクトされるＵＥを選択した１つまたは複数の新しいカップリングに割り当てること、を含む、請求項２７に記載のカップリングリダイレクト方法。
【請求項２９】
前記第２ネットワークエレメントは、選択した１つまたは複数の新しいカップリングおよび割り当てたＵＥに基づいてリダイレクト指示を構築し、前記１つまたは複数のカップリングで、前記第１ネットワークエレメントが前記ＵＥのためにカップリング情報を更新することに用いられる、前記リダイレクト指示を前記第１ネットワークエレメントに送信すること、
をさらに含む、請求項２８に記載のカップリングリダイレクト方法。
【請求項３０】
前記リダイレクトコマンドが、ネットワークエレメント内のカップリング間のリダイレクトであることを指示することに用いられ、前記リダイレクトコマンドの中にＵＥリダイレクトのターゲットカップリングがさらに携帯されている場合、前記第２ネットワークエレメントは、前記リダイレクトコマンドを受信すると同時に、前記リダイレクトコマンドの中に携帯されているＵＥの情報リストと前記ターゲットカップリングに基づいて、前記ＵＥのカップリング情報を更新すること、
をさらに含む、請求項２７に記載のカップリングリダイレクト方法。
【請求項３１】
前記第２ネットワークエレメントは、前記リダイレクトコマンドに従って前記ＵＥに対してカップリングリダイレクトの処理を行うことは、
前記リダイレクトコマンドが、ネットワークエレメント内のカップリング間のリダイレクトであることを指示することに用いられる場合、前記第２ネットワークエレメントは、前記ＵＥを割り当てるターゲットカップリングで前記第１ネットワークエレメントが送信した、カップリングリダイレクトが完了した前記ＵＥの情報リストを携帯する、リダイレクト指示を受信することと、
前記第２ネットワークエレメントは、前記リダイレクト指示に従って、前記リダイレクト指示を受信したカップリングに前記ユーザーのカップリングを更新することと、を含む、請求項２７に記載のカップリングリダイレクト方法。
【請求項３２】
前記リダイレクトコマンドが、前記ＵＥがネットワークエレメント間のカップリングリダイレクトを行うことを指示することに用いられる場合、前記第２ネットワークエレメントは、同じ種類のネットワークエレメントにリダイレクトされるＵＥの情報リストを携帯する、前記リダイレクトコマンドを受信することと、
前記第２ネットワークエレメントは、前記第１ネットワークエレメントに接続された同じ種類のネットワークエレメントのカップリング負荷情報に基づいて、新しいカップリングを選択し、前記ＵＥの情報リストに基づいて、前記ＵＥを前記新しいカップリングに割り当てることと、
をさらに含む、請求項２７に記載のカップリングリダイレクト方法。
【請求項３３】
前記第２ネットワークエレメントは、前記第１ネットワークエレメントの同じ種類のネットワークエレメントに前記ＵＥを新しいカップリングにリダイレクトさせることに用いられ、割り当てられたＵＥの情報リストとＵＥに元のサービスを提供する前記第１ネットワークエレメントのアプリケーション識別を携帯する、リダイレクト指示を前記第１ネットワークエレメントの同じ種類のネットワークエレメントに送信すること、
をさらに含む、請求項３２に記載のカップリングリダイレクト方法。
【請求項３４】
前記第１ネットワークエレメントは、リダイレクトされるＵＥを選択すると同時に、ターゲットネットワークエレメントまたはカップリングを確定し、前記ターゲットネットワークエレメントにＵＥのカップリング情報の更新を通知することができる場合、前記第２ネットワークエレメントは、前記リダイレクト指示を前記ターゲットネットワークエレメントに送信することをあきらめること、
をさらに含む、請求項３２に記載のカップリングリダイレクト方法。
【請求項３５】
前記リダイレクトコマンドは、リダイレクトインターフェース情報と、リダイレクトカップリング情報と、の少なくとも１つを含む、請求項２７〜３４のいずれか１項に記載のカップリングリダイレクト方法。
【請求項３６】
前記リダイレクトインターフェース情報は、
有効である場合、前記第１ネットワークエレメントのすべてのユーザーがリダイレクトされる、リダイレクトインターフェース全ユーザー情報エレメントと、
有効である場合、前記第１ネットワークエレメントの一部のユーザーがリダイレクトされる、リダイレクトインターフェース一部ユーザー情報エレメントと、
リダイレクトされるユーザーの識別情報を携帯することに用いられ、１つ以上のユーザー識別情報を含むユーザーアプリケーション識別リスト情報エレメントと、
リダイレクトの候補ターゲットネットワークエレメントを指定するターゲットネットワークエレメント識別リスト情報エレメントであって、ターゲットネットワークエレメント識別リストを指定しない場合、前記第２ネットワークエレメントは、負荷に応じて、前記第１ネットワークエレメントと同じ種類のネットワークエレメントをターゲットの候補ネットワークエレメントとして選択する、前記ターゲットネットワークエレメント識別リスト情報エレメントと、のいずれかを含む、請求項３５に記載のカップリングリダイレクト方法。
【請求項３７】
前記リダイレクトカップリング情報は、
有効である場合、前記カップリングのすべてのユーザーがリダイレクトされる、リダイレクトカップリング全ユーザー情報エレメントと、
有効である場合、前記カップリングの一部のユーザーがリダイレクトされる、リダイレクトカップリング一部ユーザー情報エレメントと、
カップリングのリダイレクトされるユーザーの識別情報を携帯することに用いられ、１つ以上のユーザー識別情報を含むユーザーアプリケーション識別リスト情報エレメントと、
ネットワークエレメント内のカップリングリダイレクトが有効である場合、候補ターゲットカップリング情報を携帯することを実行する、ターゲットカップリングリスト情報エレメントと、
有効に設定されている場合、ネットワークエレメント間のカップリングリダイレクトを実行するターゲットネットワークエレメント識別であって、前記ターゲットカップリングリスト内のターゲットネットワークエレメント識別リストに指定されたネットワークエレメントを候補ネットワークエレメントとする、前記ターゲットネットワークエレメント識別と、を含む、請求項３５に記載のカップリングリダイレクト方法。
【請求項３８】
前記リダイレクト指示は、
カップリングにリダイレクトされるユーザーの情報リストを携帯し、１つ以上のユーザー識別情報を含む、リダイレクトユーザーリスト情報エレメントと、
ユーザーがネットワークエレメントをまたいでリダイレクトされるシーンで、新しいネットワークエレメントが旧ネットワークエレメントに対してＵＥコンテキスト情報を要求することに用いられる、旧ネットワークエレメントアプリケーション識別情報エレメントと、の少なくとも１つを含む、請求項２７〜３４のいずれか１項に記載のカップリングリダイレクト方法。
【請求項３９】
第１ネットワークエレメントに応用されるカップリングリダイレクト装置であって、
ユーザー機器ＵＥのカップリングリダイレクトをトリガーするトリガー方式を確定するように設定される確定モジュールと、
確定されたトリガー方式に従って前記ＵＥに対してカップリングリダイレクトの処理を行うように設定されるリダイレクト処理モジュールと、を含む、カップリングリダイレクト装置。
【請求項４０】
第２ネットワークエレメントに応用されるカップリングリダイレクト装置であって、
第１ネットワークエレメントにユーザー機器ＵＥのサービスフローの初期トリガーメッセージを送信するように設定される送信モジュールと、
前記第１ネットワークエレメントが、前記初期トリガーメッセージを受信したカップリングでフィードバックしたリダイレクト要求を受信し、前記第２ネットワークエレメントは、前記リダイレクト要求に基づいて前記ＵＥを新しいカップリングにリダイレクトし、または、前記第１ネットワークエレメントが新しいカップリングで送信したリダイレクト確定を受信し、前記リダイレクト確定は、前記第１ネットワークエレメントが前記ＵＥを新しいカップリングにリダイレクトしたという通知情報を携帯するように設定される受信モジュールと、を含む、カップリングリダイレクト装置。
【請求項４１】
第２ネットワークエレメントに応用されるカップリングリダイレクト装置であって、
第１ネットワークエレメントが新しいカップリングで送信した、新しいカップリングにリダイレクトされるユーザー機器ＵＥの情報リストを含む、リダイレクトコマンドを受信するように設定される受信モジュールと、
前記リダイレクトコマンドに従って前記ＵＥに対してカップリングリダイレクトの処理を行うように設定されるリダイレクト処理モジュールと、を含む、カップリングリダイレクト装置。
【請求項４２】
記憶したプログラムを含む記憶媒体であって、前記プログラムが作動されると、請求項１〜１９又は請求項２０〜２６又は請求項２７〜３８のいずれか１項に記載のカップリングリダイレクト方法を実行する、記憶媒体。
【請求項４３】
プログラムを作動させるプロセッサーであって、前記プログラムが作動されると、請求項１〜１９又は請求項２０〜２６又は請求項２７〜３８のいずれか１項に記載のカップリングリダイレクト方法を実行する、プロセッサー。
【発明の詳細な説明】
【技術分野】
【０００１】
本発明は、出願番号２０１７１１１４７１８５．９、出願日２０１７年１１月１７日の中国特許出願に基づいて提出し、該中国特許出願の優先権を主張するものであり、該中国特許出願の全ての内容が引用により本発明に援用される。
【０００２】
本発明は、通信分野に関し、例えば、カップリングリダイレクト方法および装置に関する。
【背景技術】
【０００３】
第３世代パートナシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）では、通信ネットワークエレメント間の制御シグナリングは、複数のストリームコントロールトランスミッションプロトコル（Ｓｔｒｅａｍ  Ｃｏｎｔｒｏｌ  Ｔｒａｎｓｍｉｓｓｉｏｎ  Ｐｒｏｔｏｃｏｌ、ＳＣＴＰ）を採用して下層のトランスポートプロトコルとすることにより、シグナリング伝送の信頼性を保証する。また、最新の３ＧＰＰ標準では、１ペアのネットワークエレメント間でＳＣＴＰカップリングを確立することをサポートする。
【０００４】
しかし、いくつかの応用シーンまたは異常の場合、ユーザーサービスの継続性を保証するために、特定のカップリングまたは特定のネットワークエレメントにくっついているユーザーを新しいカップリングに移行する必要がある。
【０００５】
現在の標準会議の結論によると、モビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）は、１つのＳＣＴＰカップリングの下にあるユーザー機器（Ｕｓｅｒ  Ｅｑｕｉｐｍｅｎｔ、ＵＥ）を同じＡＭＦ内または他のＡＭＦのＳＣＴＰカップリングにリダイレクトしてもよく、ただし、ＡＭＦがこれらのＵＥを新しいカップリングにどのようにリダイレクトするかはまだ明確にしていなく、さらに、標準は、複数のカップリングをサポートする他のネットワークエレメント間（例えば、次世代基地局集中型ユニット（Ｎｅｘｔ  Ｇｅｎｅｒａｔｉｏｎ  ＮｏｄｅＢ−Ｃｅｎｔｒａｌｉｚｅｄ  Ｕｎｉｔ、ｇＮＢ−ＣＵ）と次世代基地局分散型ユニット（Ｎｅｘｔ  Ｇｅｎｅｒａｔｉｏｎ  ＮｏｄｅＢ−Ｄｉｓｔｒｉｂｕｔｅｄ  Ｕｎｉｔ、ｇＮＢ−ＤＵ））のカップリングのユーザーをリダイレクトする方法も明確にしていない。
【発明の概要】
【発明が解決しようとする課題】
【０００６】
本開示実施例は、少なくとも、関連技術においてマルチカップリングをサポートするネットワークエレメントの間で、ユーザーのカップリングリダイレクトがどのように実現し、第２ネットワークエレメントが複数の第１ネットワークエレメントに接続されたシーンで、どのようにＵＥを第１ネットワークエレメントのいずれか１つのネットワークエレメントのカップリングから他の第１ネットワークエレメントのカップリングにリダイレクトするかという問題を解決するために、カップリングリダイレクト方法および装置を提供する。
【課題を解決するための手段】
【０００７】
本開示の１つの実施例によれば、
第１ネットワークエレメントは、ＵＥのカップリングリダイレクトをトリガーするトリガー方式を確定することと、
前記第１ネットワークエレメントは、確定されたトリガー方式に従って前記ＵＥに対してカップリングリダイレクトの処理を行うことと、を含む、カップリングリダイレクト方法を提供する。
【０００８】
本開示の他の実施例によれば、
第２ネットワークエレメントは、第１ネットワークエレメントにＵＥのサービスフローの初期トリガーメッセージを送信することと、
前記第２ネットワークエレメントは、前記第１ネットワークエレメントが、前記初期トリガーメッセージを受信したカップリングでフィードバックしたリダイレクト要求を受信し、前記第２ネットワークエレメントは、前記リダイレクト要求に基づいて前記ＵＥを新しいカップリングにリダイレクトし、または、前記第２ネットワークエレメントは、前記第１ネットワークエレメントが新しいカップリングで送信したリダイレクト確定を受信し、前記リダイレクト確定は、前記第１ネットワークエレメントが前記ＵＥを新しいカップリングにリダイレクトしたという通知情報を携帯することと、を含む、カップリングリダイレクト方法をさらに提供する。
【０００９】
本開示の他の実施例によれば、
第２ネットワークエレメントは、第１ネットワークエレメントが新しいカップリングで送信した、新しいカップリングにリダイレクトされるＵＥの情報リストを含む、リダイレクトコマンドを受信することと、
前記第２ネットワークエレメントは、前記リダイレクトコマンドに従って前記ＵＥに対してカップリングリダイレクトの処理を行うことと、を含む、カップリングリダイレクト方法をさらに提供する。
【００１０】
本開示の更なる実施例によれば、第１ネットワークエレメントに応用されるカップリングリダイレクト装置であって、
ＵＥのカップリングリダイレクトをトリガーするトリガー方式を確定するように設定される確定モジュールと、
確定されたトリガー方式に従って前記ＵＥに対してカップリングリダイレクトの処理を行うように設定されるリダイレクト処理モジュールと、を含む、カップリングリダイレクト装置をさらに提供する。
【００１１】
本開示の更なる実施例によれば、第２ネットワークエレメントに応用されるカップリングリダイレクト装置であって、
第１ネットワークエレメントにＵＥのサービスフローの初期トリガーメッセージを送信するように設定される送信モジュールと、
前記第１ネットワークエレメントが、前記初期トリガーメッセージを受信したカップリングでフィードバックしたリダイレクト要求を受信し、前記第２ネットワークエレメントは、前記リダイレクト要求に基づいて前記ＵＥを新しいカップリングにリダイレクトし、または、前記第１ネットワークエレメントが新しいカップリングで送信したリダイレクト確定を受信し、前記リダイレクト確定は、前記第１ネットワークエレメントが前記ＵＥを新しいカップリングにリダイレクトしたという通知情報を携帯するように設定される受信モジュールと、を含む、カップリングリダイレクト装置をさらに提供する。
【００１２】
本開示の更なる実施例によれば、第２ネットワークエレメントに応用されるカップリングリダイレクト装置であって、
第１ネットワークエレメントが新しいカップリングで送信した、新しいカップリングにリダイレクトされるＵＥの情報リストを含む、リダイレクトコマンドを受信するように設定される受信モジュールと、
前記リダイレクトコマンドに従って前記ＵＥに対してカップリングリダイレクトの処理を行うように設定されるリダイレクト処理モジュールと、を含む、カップリングリダイレクト装置をさらに提供する。
【００１３】
本開示の更なる実施例によれば、記憶媒体を提供する。前記記憶媒体はプログラムを記憶するために用いられ、前記プログラムが作動されると、上述したいずれか１項の方法を実行する。
【００１４】
本開示の更なる実施例によれば、プロセッサーを提供する。前記プロセッサーはプログラムを作動させるために用いられ、前記プログラムが作動されると、上述したいずれか１項の方法を実行する。
【図面の簡単な説明】
【００１５】
【図１】本開示実施例に係るカップリングリダイレクト方法の移動端末のハードウェア構造ブロック図である。
【図２】本開示実施例に係るカップリングリダイレクト方法のフローチャートである。
【図３】本開示実施例に係る他のカップリングリダイレクト方法のフローチャートである。
【図４】本開示実施例に係る更なるカップリングリダイレクト方法のフローチャートである。
【図５】本開示実施例に係るＵＥを同じネットワークエレメントの他のＳＣＴＰカップリングにリダイレクトする処理の模式図である。
【図６】本開示実施例に係るＵＥを他の同じ種類のネットワークエレメントのＳＣＴＰカップリングにリダイレクトする処理の模式図である。
【図７】本開示実施例に係る第１ネットワークエレメントがＵＥを本ネットワークエレメントの他のカップリングに暗黙的にリダイレクトする処理の模式図である。
【図８】本開示実施例に係る第２ネットワークエレメントの初期メッセージによるトランスポートカップリングを変更する処理の模式図である。
【図９】本開示実施例に係る第１ネットワークエレメントが定常状態のＵＥを本ネットワークエレメント内の他のカップリングにリダイレクトすることをトリガーする処理の模式図である。
【図１０】本開示実施例に係る第１ネットワークエレメントが定常状態のユーザーをネットワークエレメント内の他のカップリングにリダイレクトすることをトリガーする態様２の処理の模式図である。
【図１１】本開示実施例に係る第１ネットワークエレメントが定常状態のＵＥをネットワークエレメント間の他のカップリングにリダイレクトすることをトリガーする処理の模式図である。
【図１２】本開示実施例に係る次世代基地局（Ｎｅｘｔ  Ｇｅｎｅｒａｔｉｏｎ  ＮｏｄｅＢ、ｇＮＢ）とＡＭＦのマルチカップリングのトランスポートネットワーキングの模式図である。
【図１３】本開示実施例に係るＡＭＦがフローの中でｇＮＢを指定ネットワークエレメント内のＳＣＴＰにリダイレクトすることをトリガーする連携の模式図である。
【図１４】本開示実施例に係るＡＭＦがフローの中でｇＮＢを他のＡＭＦにリダイレクトすることをトリガーする連携の模式図である。
【図１５】本開示実施例に係るＡＭＦが定常状態のカップリングのＵＥを本ＡＭＦ内のカップリング間でリダイレクトすることをトリガーする連携の模式図である。
【図１６】本開示実施例に係るＡＭＦがカップリングのＵＥをＡＭＦ内の指定されたカップリングにリダイレクトする連携の模式図である。
【図１７】本開示実施例に係るＡＭＦがＡＭＦをまたいでカップリングのＵＥをリダイレクトすることをトリガーする処理プロセスの連携の模式図である。
【図１８】本開示実施例に係るｇＮＢが上りメッセージでＵＥのカップリングのリダイレクトをトリガーする連携の模式図である。
【図１９】本開示実施例に係るｇＮＢがトリガーしたＵＥのリダイレクト処理の連携の模式図である。
【図２０】本開示実施例に係るカップリングリダイレクト装置のブロック図である。
【図２１】本開示実施例に係る他のカップリングリダイレクト装置のブロック図である。
【図２２】本開示実施例に係る更なるカップリングリダイレクト装置のブロック図である。
【発明を実施するための形態】
【００１６】
以下、図面を参照しながら実施例を結び付けて本開示を説明する。衝突しない場合、本出願の実施例および実施例の特徴を組み合わせることができる。
【００１７】
本開示の明細書と特許請求の範囲および上述した図面における「第１」と「第２」などの用語は、類似する対象を区別するためのものであり、特定の順序又は前後順序を説明するものではない。
【００１８】
実施例１
本出願実施例１が提供する方法実施例は移動端末、コンピュータ端末又は類似する計算装置で実行してもよい。移動端末での実行を例として説明し、図１は本開示実施例に係るカップリングリダイレクト方法の移動端末のハードウェア構造ブロック図である。図１に示すように、移動端末１０は１つあるいは複数の（図には１つだけ示す）プロセッサー１０２（プロセッサー１０２はマイクロプロセッサー（Ｍｉｃｒｏ  Ｃｏｎｔｒｏｌｌｅｒ  Ｕｎｉｔ、ＭＣＵ）又はプログラマブルロジックデバイス（Ｆｉｅｌｄ−Ｐｒｏｇｒａｍｍａｂｌｅ  Ｇａｔｅ  Ａｒｒａｙ、ＦＰＧＡ）等の処理装置を含むがそれに限定されない）、データを保存するように設定されるメモリー１０４、および通信機能に実現するように設定される伝送装置１０６を含んでもよい。当業者は、図１に示す構造は説明するためのものであり、上述した電子装置の構造への限定にならないことを理解できる。例えば、移動端末１０は図１と比べてより多いあるいはより少ないコンポーネントを有してもよく、あるいは図１と異なる配置を有してもよい。
【００１９】
メモリー１０４はアプリケーションのプログラムおよびモジュール、たとえば、本開示実施例のカップリングリダイレクト方法に対応するプログラムコマンド・モジュールを記憶するように設定されても良い。プロセッサー１０２は、メモリー１０４に記憶されるプログラムおよびモジュールを実行することで、複数の機能の実行およびデータの処理を行い、上述した方法を実現する。メモリー１０４は、高速ランダムメモリーを含んでもよく、さらに不揮発性メモリー、たとえば、１つ又は２つの磁気記憶装置、フラッシュメモリー、あるいは、他の不揮発性のソリッドステートメモリーを含んでもよい。一部のインスタンスにおいて、メモリー１０４はプロセッサー１０２に対しリモートで設けられたメモリーを含んでもよく、これらリモートメモリーはネットワークによって移動端末１０に接続してもよい。前記ネットワークのインスタンスは、インターネット、イントラネット、ローカルエリアネットワーク、モバイル通信ネットワーク、およびそれらの組み合わせを含んだが、それに限定されない。
【００２０】
伝送装置１０６は１つのネットワークを経由してデータを受送信するように設定される。前記ネットワークのインスタンスは、移動端末１０の通信プロバイダーより提供する無線ネットワークを含んでもよい。１つのインスタンスにおいて、伝送装置１０６は１つのネットワークインターフェースコントローラー（Ｎｅｔｗｏｒｋ  Ｉｎｔｅｒｆａｃｅ  Ｃｏｎｔｒｏｌｌｅｒ、ＮＩＣ）を含み、基地局によって他のネットワーク機器と接続し、インターネットと通信することが可能である。１つのインスタンスにおいて、伝送装置１０６は高周波（Ｒａｄｉｏ  Ｆｒｅｑｕｅｎｃｙ、ＲＦ）モジュールであり、無線態様によってインターネットと通信するように設定される。
【００２１】
本開示実施例におけるネットワークエレメントの間、例えば、次世代基地局（Ｎｅｘｔ  Ｇｅｎｅｒａｔｉｏｎ  ＮｏｄｅＢ、ｇＮＢ）とＡＭＦ、ｇＮＢ−ＣＵとｇＮＢ−ＤＵおよび進化型基地局（Ｅｖｏｌｖｅｄ  ＮｏｄｅＢ、ｅＮＢ）とモビリティ管理エンティティ（Ｍｏｂｉｌｉｔｙ  Ｍａｎａｇｅｍｅｎｔ  Ｅｎｔｉｔｙ、ＭＭＥ）の間などにおいて、ＵＥがアクセスすると、基地局は、ＵＥのアクセスに携帯される情報に基づいて、ＵＥのために適切なトランスポートカップリングを選択し、後続のフローでは、このカップリングにずっとくっつき続けるため、不必要なコンテキストの遷移と同期を回避し、最善の処理性能とユーザー体験を達成することができる。本開示実施例において、一部の応用シーンまたは異常の場合、ネットワークエレメントの間のあるカップリングが、低層ネットワークの障害のためにリンクダウンしたり、ネットワークメンテナンスが必要でオフにされたりする可能性があり、ネットワークエレメントのメンテナンスまたは障害などの原因で、該ネットワークエレメントにおけるすべてのカップリングがサービス停止されたり、または、あるＳＣＴＰの負荷が高すぎなどの原因でカップリングのリダイレクトが必要とされたりする。
【００２２】
上述した移動端末に基づき、本開示実施例は、カップリングリダイレクト方法を提供し、図２は本開示実施例に係るカップリングリダイレクト方法のフローチャートであり、図２に示すように、以下のステップを含む。
【００２３】
ステップ２０２において、第１ネットワークエレメントは、ＵＥのカップリングリダイレクトをトリガーするトリガー方式を確定する。
【００２４】
ステップ２０４において、前記第１ネットワークエレメントは、確定されたトリガー方式に従って前記ＵＥに対してカップリングリダイレクトの処理を行う。
【００２５】
上述したステップにより、第１ネットワークエレメントは、ＵＥのカップリングリダイレクトをトリガーするトリガー方式を確定し、前記第１ネットワークエレメントは、確定されたトリガー方式に従って前記ＵＥに対してカップリングリダイレクトの処理を行い、関連技術においてマルチカップリングをサポートするネットワークエレメントの間で、ユーザーのカップリングリダイレクトがどのように実現し、第２ネットワークエレメントが複数の第１ネットワークエレメントに接続されたシーンで、どのようにＵＥを第１ネットワークエレメントのいずれか１つのネットワークエレメントのカップリングから他の第１ネットワークエレメントのカップリングにリダイレクトするかという問題を解決し、ＵＥのカップリングリダイレクトをトリガーするトリガー方式を確定することにより、ユーザーに対してカップリングリダイレクトを行い、複数のカップリングの間またはネットワークエレメントの間で負荷が不均衡であったり、あるカップリングまたはネットワークエレメントに障害が発生すると、ユーザー体験が影響を受けたりすることを回避した。
【００２６】
１つの実施例において、前記トリガー方式は、フローメッセージでトリガーするリダイレクト方式と、ＵＥがフロー定常状態にあるリダイレクト方式と、を含む。
【００２７】
１つの実施例において、前記トリガー方式がフローメッセージでトリガーするリダイレクト方式である場合、前記第１ネットワークエレメントは、確定されたトリガー方式に従って前記ＵＥに対してカップリングリダイレクトの処理を行うことは、
前記第１ネットワークエレメントは、第２ネットワークエレメントが送信したＵＥサービスフローの初期トリガーメッセージを受信し、前記初期トリガーメッセージを受信したカップリングで前記第２ネットワークエレメントにリダイレクト要求をフィードバックし、前記リダイレクト要求は、前記第２ネットワークエレメントに前記ＵＥを新しいカップリングにリダイレクトさせるとともに、前記第２ネットワークエレメントに前記新しいカップリングでリダイレクト確定を送信させて前記ＵＥのカップリングを新しいカップリングに更新させるために用いられることと、
前記第１ネットワークエレメントは、前記第２ネットワークエレメントが送信した前記ＵＥサービスフローの初期トリガーメッセージを受信し、新しいカップリングで前記第２ネットワークエレメントに、前記第１ネットワークエレメントが前記ＵＥを前記新しいカップリングにリダイレクトしたという通知情報を携帯する、リダイレクト確定を送信することと、前記第１ネットワークエレメントは、前記第２ネットワークエレメントが送信した前記ＵＥサービスフローの初期トリガーメッセージを受信し、前記ＵＥのカップリング情報を前記初期トリガーメッセージを受信したカップリングに更新することと、のいずれかを含む。
【００２８】
１つの実施例において、前記第１ネットワークエレメントが、新しいカップリングで前記第２ネットワークエレメントにリダイレクト確定を送信する前に、前記方法は、
前記第１ネットワークエレメントは、所定またはサービス要因に基づいて、前記ＵＥを前記新しいカップリングにリダイレクトすること、をさらに含む。
【００２９】
１つの実施例において、前記第１ネットワークエレメントが、前記ＵＥのカップリング情報を前記初期トリガーメッセージを受信したカップリングに更新した後に、前記方法は、
前記第１ネットワークエレメントは、前記第２ネットワークエレメントに、前記ＵＥのカップリング情報の更新が完了したことを示すために用いられる、リダイレクト確定を返信すること、をさらに含む。
【００３０】
１つの実施例において、前記リダイレクト要求は、
リダイレクトされたユーザーの識別に用いられるユーザーアプリケーション層識別と、
有効である場合、ユーザーを本ネットワークエレメントの他のカップリングにリダイレクトするターゲットカップリング、および／または、有効である場合、ユーザーを前記第１ネットワークエレメントの同じ種類のネットワークエレメントのカップリングにリダイレクトするターゲットインターフェース、の２つのタイプを含むリダイレクトターゲットと、
前記第２ネットワークエレメントが前記第１ネットワークエレメントに送信したが、処理されていないフロートリガーメッセージを携帯する、未処理メッセージ情報エレメントと、の少なくとも１つを含む。
【００３１】
１つの実施例において、前記リダイレクト確定は、
リダイレクトされたユーザーの識別に用いられるユーザーアプリケーション層識別と、
前記ＵＥがリダイレクトする前の元のカップリングが所属するネットワークエレメントのグローバルアプリケーション識別を携帯する、旧ネットワークエレメントのグローバルアプリケーション識別情報エレメントと、
前記第２ネットワークエレメントが前記第１ネットワークエレメントに送信したが、処理されていないメッセージを携帯する、未処理メッセージ情報エレメントと、の少なくとも１つを含む。
【００３２】
１つの実施例において、前記トリガー方式が、ＵＥがフロー定常状態にあるリダイレクト方式である場合、前記第１ネットワークエレメントは、確定されたトリガー方式に従って前記ＵＥに対してカップリングリダイレクトの処理を行うことは、
前記第１ネットワークエレメントは、前記ＵＥを新しいカップリングにリダイレクトするリダイレクトタイプを確定することと、
前記第１ネットワークエレメントは、確定されたトリガー方式および前記リダイレクトタイプに従って前記ＵＥに対してカップリングリダイレクトの処理を行うことと、を含む。
【００３３】
１つの実施例において、前記リダイレクトタイプは、
前記第１ネットワークエレメントのカップリングのＵＥを、前記第１ネットワークエレメント内の新しいカップリングにリダイレクトすることと、
前記ＵＥを前記第１ネットワークエレメントの同じ種類のネットワークエレメントにリダイレクトすることと、を含む。
【００３４】
１つの実施例において、前記リダイレクトタイプは、前記第１ネットワークエレメントのカップリングのＵＥを、前記第１ネットワークエレメント内の新しいカップリングにリダイレクトする場合、前記第１ネットワークエレメントは、
前記第１ネットワークエレメントは、高負荷のカップリングの一部のＵＥを低負荷の新しいカップリングにリダイレクトすることを確定することと、
前記第１ネットワークエレメントは、メンテナンスまたはサービスに関するニーズに基づいて、クローズすべきカップリングを確定し、前記クローズすべきカップリングのすべてのＵＥを新しいカップリングにリダイレクトすることと、のいずれかの方式でＵＥを新しいカップリングにリダイレクトするリダイレクトタイプを確定する。
【００３５】
１つの実施例において、前記リダイレクトタイプは、ＵＥを前記第１ネットワークエレメントの同じ種類のネットワークエレメントにリダイレクトする場合、前記第１ネットワークエレメントは、
前記第１ネットワークエレメントは、前記第１ネットワークエレメントの負荷が予め設定された値より大きいことを検出し、前記第１ネットワークエレメントのＵＥを前記第１ネットワークエレメントの同じ種類のネットワークエレメントにリダイレクトすることを確定することと、
前記第１ネットワークエレメントは、メンテナンスまたはサービスに関するニーズに基づいて、前記第１ネットワークエレメントにクローズまたはサービス停止することを確定し、前記第１ネットワークエレメントのＵＥを前記第１ネットワークエレメントの同じ種類のネットワークエレメントにリダイレクトすることと、のいずれかの方式でＵＥを新しいカップリングにリダイレクトするリダイレクトタイプを確定する。
【００３６】
１つの実施例において、前記第１ネットワークエレメントは、確定されたトリガー方式および前記リダイレクトタイプに従って前記ＵＥに対してカップリングリダイレクトの処理を行うことは、
前記第１ネットワークエレメントは、カップリングの下にあり、前記第１ネットワークエレメント内の新しいカップリングにリダイレクトされるＵＥを選択することと、
前記第１ネットワークエレメントは、前記新しいカップリングで前記第２ネットワークエレメントにリダイレクトコマンドを送信し、前記リダイレクトコマンドは、前記新しいカップリングにリダイレクトされるＵＥの情報リストを含み、かつネットワークエレメント内のカップリング間のリダイレクトであることを指示し、前記リダイレクトコマンドは、前記第２ネットワークエレメントに前記ＵＥを新しいカップリングにリダイレクトさせるために用いられることと、を含む。
【００３７】
１つの実施例において、前記第１ネットワークエレメントは、確定されたトリガー方式および前記リダイレクトタイプに従って前記ＵＥに対してカップリングリダイレクトの処理を行うことは、
前記第１ネットワークエレメントは、リダイレクトされるＵＥを選択すると同時にリダイレクトのターゲットカップリングを選択した場合、前記リダイレクトコマンドを前記第２ネットワークエレメントに送信すると同時に、前記ＵＥのカップリング情報を更新すること、を含む。
【００３８】
１つの実施例において、前記第１ネットワークエレメントは、確定されたトリガー方式および前記リダイレクトタイプに従って前記ＵＥに対してカップリングリダイレクトの処理を行うことは、
前記第１ネットワークエレメントは、新しいカップリングにリダイレクトされるＵＥの情報リストを選択し、前記ＵＥがリダイレクトされるターゲットカップリングを選択することと、
前記第１ネットワークエレメントは、前記ＵＥを前記ターゲットカップリングに割り当て、前記ターゲットカップリングで、カップリングリダイレクトが完了した前記ＵＥの情報リストを携帯する、リダイレクト指示を送信することと、を含む。
【００３９】
１つの実施例において、前記第１ネットワークエレメントは、確定されたトリガー方式および前記リダイレクトタイプに従って前記ＵＥに対してカップリングリダイレクトの処理を行うことは、
前記第１ネットワークエレメントは、前記第２ネットワークエレメントにリダイレクトコマンドを送信し、前記リダイレクトコマンドは、前記第１ネットワークエレメントの同じ種類のネットワークエレメントにリダイレクトされるＵＥの情報リストを携帯し、ネットワークエレメント間のカップリングリダイレクトを行う前記ＵＥを指示するために用いられること、を含む。
【００４０】
１つの実施例において、前記リダイレクトコマンドは、リダイレクトインターフェース情報、および／または、リダイレクトカップリング情報を含む。
【００４１】
１つの実施例において、前記リダイレクトインターフェース情報は、
有効である場合、前記第１ネットワークエレメントのすべてのユーザーがリダイレクトされる、リダイレクトインターフェース全ユーザー情報エレメントと、
有効である場合、前記第１ネットワークエレメントの一部のユーザーがリダイレクトされる、リダイレクトインターフェース一部ユーザー情報エレメントと、
リダイレクトされるユーザーの識別情報を携帯することに用いられ、１つ以上のユーザー識別情報を含むユーザーアプリケーション識別リスト情報エレメントと、
リダイレクトの候補ターゲットネットワークエレメントを指定するターゲットネットワークエレメント識別リスト情報エレメントであって、ターゲットネットワークエレメント識別リストを指定しない場合、前記第２ネットワークエレメントは、負荷に応じて、前記第１ネットワークエレメントと同じ種類のネットワークエレメントをターゲットの候補ネットワークエレメントとして選択する、前記ターゲットネットワークエレメント識別リスト情報エレメントと、のいずれかを含む。
【００４２】
１つの実施例において、前記リダイレクトカップリング情報は、
有効である場合、該カップリングのすべてのユーザーがリダイレクトされる、リダイレクトカップリング全ユーザー情報エレメントと、
有効である場合、該カップリングの一部のユーザーがリダイレクトされることを示す、リダイレクトカップリング一部ユーザー情報エレメントと、
カップリングのリダイレクトされるユーザーの識別情報を携帯することに用いられ、１つ以上のユーザー識別情報を含むユーザーアプリケーション識別リスト情報エレメントと、
ネットワークエレメント内のカップリングリダイレクトが有効である場合、候補ターゲットカップリング情報を携帯することを実行する、ターゲットカップリングリスト情報エレメントと、
有効に設定されている場合、ネットワークエレメント間のカップリングリダイレクトを実行するターゲットネットワークエレメント識別であって、前記ターゲットカップリングリスト内のターゲットネットワークエレメント識別リストに指定されたネットワークエレメントを候補ネットワークエレメントとする、前記ターゲットネットワークエレメント識別と、を含む。
【００４３】
１つの実施例において、前記リダイレクト指示は、
カップリングにリダイレクトされるユーザーの情報リストを携帯し、１つ以上のユーザー識別情報を含む、リダイレクトユーザーリスト情報エレメントと、
ユーザーがネットワークエレメントをまたいでリダイレクトされるシーンで、新しいネットワークエレメントが旧ネットワークエレメントに対してＵＥコンテキスト情報を要求することに用いられる、旧ネットワークエレメントアプリケーション識別情報エレメントと、の少なくとも１つを含む。
【００４４】
実施例２
本開示の他の実施例によれば、カップリングリダイレクト方法をさらに提供し、図３は、本開示実施例に係る他のカップリングリダイレクト方法のフローチャートであり、図３に示すように、以下のステップを含む。
【００４５】
ステップ３０２において、第２ネットワークエレメントは、第１ネットワークエレメントにＵＥのサービスフローの初期トリガーメッセージを送信する。
【００４６】
ステップ３０４において、前記第２ネットワークエレメントは、前記第１ネットワークエレメントが、前記初期トリガーメッセージを受信したカップリングでフィードバックしたリダイレクト要求を受信し、前記第２ネットワークエレメントは、前記リダイレクト要求に基づいて前記ＵＥを新しいカップリングにリダイレクトし、または、前記第２ネットワークエレメントは、前記第１ネットワークエレメントが新しいカップリングで送信したリダイレクト確定を受信し、前記リダイレクト確定は、前記第１ネットワークエレメントが前記ＵＥを新しいカップリングにリダイレクトしたという通知情報を携帯する。
【００４７】
１つの実施例において、前記第２ネットワークエレメントは、前記リダイレクト要求に基づいて前記ＵＥを新しいカップリングにリダイレクトする前に、
前記リダイレクト要求が前記新しいカップリングのフラグを携帯する場合、前記第２ネットワークエレメントは、前記新しいカップリングのフラグに基づいて、前記新しいカップリングをマッチングすることと、
前記リダイレクト要求が前記新しいカップリングのフラグを携帯しなかった場合、前記第２ネットワークエレメントの決定で前記新しいカップリングを確定することと、をさらに含む。
【００４８】
１つの実施例において、前記第２ネットワークエレメントは、前記新しいカップリングのフラグに基づいて、前記新しいカップリングをマッチングすることは、
前記新しいカップリングのフラグが、新しいカップリングのトランスポートネットワーク層アドレス（Ｔｒａｎｓｐｏｒｔ  Ｎｅｔｗｏｒｋ  Ｌａｙｅｒ  Ａｄｄｒｅｓｓ、ＴＮＬＡ）情報を示す場合、前記第２ネットワークエレメントは、前記ＴＮＬＡ情報に基づいて新しいカップリングをマッチングすることと、
前記新しいカップリングのフラグが、新しいネットワークエレメントのグローバルアプリケーション識別を示す場合、前記第２ネットワークエレメントは、前記新しいネットワークエレメントのグローバルアプリケーション識別に基づいてリダイレクトのターゲットネットワークエレメントを選択し、前記ターゲットネットワークエレメントとの間で確立されたトランスポートカップリングにおいて新しいカップリングを選択することと、
前記新しいカップリングのフラグが、新しいカップリングの情報エレメントを示す場合、前記第２ネットワークエレメントは、前記第１ネットワークエレメント内の他のカップリングを選択して新しいカップリングとすることと、を含む。
【００４９】
１つの実施例において、前記第２ネットワークエレメントは、前記リダイレクト要求に基づいて前記ＵＥを新しいカップリングにリダイレクトする後に、
前記第２ネットワークエレメントは、新しいカップリングでリダイレクト要求を再送信し、または、リダイレクト確定を返信すること、をさらに含む。
【００５０】
１つの実施例において、前記リダイレクト要求は、ＵＥを識別することに用いられるユーザーアプリケーション層識別をさらに携帯する。
【００５１】
１つの実施例において、前記リダイレクト要求は、
リダイレクトされたユーザーの識別に用いられるユーザーアプリケーション層識別と、
有効である場合、ユーザーを本ネットワークエレメントの他のカップリングにリダイレクトするターゲットカップリング、および／または、有効である場合、ユーザーを第１ネットワークエレメントの同じ種類のネットワークエレメントのカップリングにリダイレクトするターゲットインターフェース、の２つのタイプを含むリダイレクトターゲットと、
前記第２ネットワークエレメントが前記第１ネットワークエレメントに送信したが、処理されていないフロートリガーメッセージを携帯する、未処理メッセージ情報エレメントと、の少なくとも１つを含む。
【００５２】
１つの実施例において、前記リダイレクト確定は、
リダイレクトされたユーザーの識別に用いられるユーザーアプリケーション層識別と、
前記ＵＥがリダイレクトする前の元のカップリングが所属するネットワークエレメントのグローバルアプリケーション識別を携帯する、旧ネットワークエレメントのグローバルアプリケーション識別情報エレメントと、
前記第２ネットワークエレメントが前記第１ネットワークエレメントに送信したが、処理されていないメッセージを携帯する、未処理メッセージ情報エレメントと、の少なくとも１つを含む。
【００５３】
実施例３
本開示の他の実施例によれば、カップリングリダイレクト方法をさらに提供し、図４は、本開示実施例に係る更なるカップリングリダイレクト方法のフローチャートであり、図４に示すように、以下のステップを含む。
【００５４】
ステップ４０２において、第２ネットワークエレメントは、第１ネットワークエレメントが新しいカップリングで送信した、新しいカップリングにリダイレクトされるＵＥの情報リストを含む、リダイレクトコマンドを受信する。
【００５５】
ステップ４０４において、前記第２ネットワークエレメントは、前記リダイレクトコマンドに従って前記ＵＥに対してカップリングリダイレクトの処理を行う。
【００５６】
１つの実施例において、前記第２ネットワークエレメントは、前記リダイレクトコマンドに従って前記ＵＥに対してカップリングリダイレクトの処理を行うことは、
前記リダイレクトコマンドが、ネットワークエレメント内のカップリング間のリダイレクトであることを指示することに用いられる場合、前記第２ネットワークエレメントは、前記リダイレクトコマンドに従って、前記リダイレクトコマンドの中のＵＥのために１つまたは複数の新しいカップリングを選択し、前記リダイレクトされるＵＥを選択した１つまたは複数の新しいカップリングに割り当てること、を含む。
【００５７】
１つの実施例において、前記方法は、
前記第２ネットワークエレメントは、選択した１つまたは複数の新しいカップリングおよび割り当てたＵＥに基づいてリダイレクト指示を構築し、前記１つまたは複数のカップリングで、前記第１ネットワークエレメントが前記ＵＥのためにカップリング情報を更新することに用いられる、前記リダイレクト指示を前記第１ネットワークエレメントに送信すること、をさらに含む。
【００５８】
１つの実施例において、前記方法は、
前記リダイレクトコマンドが、ネットワークエレメント内のカップリング間のリダイレクトであることを指示することに用いられ、前記リダイレクトコマンドの中にＵＥリダイレクトのターゲットカップリングがさらに携帯されている場合、前記第２ネットワークエレメントは、前記リダイレクトコマンドを受信すると同時に、前記リダイレクトコマンドの中に携帯されているＵＥの情報リストと前記ターゲットカップリングに基づいて、前記ＵＥのカップリング情報を更新すること、をさらに含む。
【００５９】
１つの実施例において、前記第２ネットワークエレメントは、前記リダイレクトコマンドに従って前記ＵＥに対してカップリングリダイレクトの処理を行うことは、
前記リダイレクトコマンドが、ネットワークエレメント内のカップリング間のリダイレクトであることを指示することに用いられる場合、前記第２ネットワークエレメントは、前記ＵＥを割り当てるターゲットカップリングで前記第１ネットワークエレメントが送信した、カップリングリダイレクトが完了した前記ＵＥの情報リストを携帯する、リダイレクト指示を受信することと、
前記第２ネットワークエレメントは、前記リダイレクト指示に従って、前記リダイレクト指示を受信したカップリングに前記ユーザーのカップリングを更新することと、を含む。
【００６０】
１つの実施例において、前記方法は、
前記リダイレクトコマンドが、前記ＵＥがネットワークエレメント間のカップリングリダイレクトを行うことを指示することに用いられる場合、前記第２ネットワークエレメントは、同じ種類のネットワークエレメントにリダイレクトされるＵＥの情報リストを携帯する、前記リダイレクトコマンドを受信することと、
前記第２ネットワークエレメントは、前記第１ネットワークエレメントに接続された同じ種類のネットワークエレメントのカップリング負荷情報に基づいて、新しいカップリングを選択し、前記ＵＥの情報リストに基づいて、前記ＵＥを前記新しいカップリングに割り当てることと、をさらに含む。
【００６１】
１つの実施例において、前記方法は、
前記第２ネットワークエレメントは、前記第１ネットワークエレメントの同じ種類のネットワークエレメントに前記ＵＥを新しいカップリングにリダイレクトさせることに用いられ、割り当てられたＵＥの情報リストとＵＥに元のサービスを提供する前記第１ネットワークエレメントのアプリケーション識別を携帯する、リダイレクト指示を前記第１ネットワークエレメントの同じ種類のネットワークエレメントに送信すること、をさらに含む。
【００６２】
１つの実施例において、前記方法は、
前記第１ネットワークエレメントは、リダイレクトされるＵＥを選択すると同時に、ターゲットネットワークエレメントまたはカップリングを確定し、前記ターゲットネットワークエレメントにＵＥのカップリング情報の更新を通知することができる場合、前記第２ネットワークエレメントは、前記リダイレクト指示を前記ターゲットネットワークエレメントに送信することをあきらめること、をさらに含む。
【００６３】
１つの実施例において、前記リダイレクトコマンドは、リダイレクトインターフェース情報、および／または、リダイレクトカップリング情報を含む。
【００６４】
１つの実施例において、前記リダイレクトインターフェース情報は、
有効である場合、前記第１ネットワークエレメントのすべてのユーザーがリダイレクトされる、リダイレクトインターフェース全ユーザー情報エレメントと、
有効である場合、前記第１ネットワークエレメントの一部のユーザーがリダイレクトされる、リダイレクトインターフェース一部ユーザー情報エレメントと、
リダイレクトされるユーザーの識別情報を携帯することに用いられ、１つ以上のユーザー識別情報を含むユーザーアプリケーション識別リスト情報エレメントと、
リダイレクトの候補ターゲットネットワークエレメントを指定するターゲットネットワークエレメント識別リスト情報エレメントであって、ターゲットネットワークエレメント識別リストを指定しない場合、前記第２ネットワークエレメントは、負荷に応じて、前記第１ネットワークエレメントと同じ種類のネットワークエレメントをターゲットの候補ネットワークエレメントとして選択する、前記ターゲットネットワークエレメント識別リスト情報エレメントと、のいずれかを含む。
【００６５】
１つの実施例において、前記リダイレクトカップリング情報は、
有効である場合、該カップリングのすべてのユーザーがリダイレクトされる、リダイレクトカップリング全ユーザー情報エレメントと、
有効である場合、前記カップリングの一部のユーザーがリダイレクトされる、リダイレクトカップリング一部ユーザー情報エレメントと、
カップリングのリダイレクトされるユーザーの識別情報を携帯することに用いられ、１つ以上のユーザー識別情報を含むユーザーアプリケーション識別リスト情報エレメントと、
ネットワークエレメント内のカップリングリダイレクトが有効である場合、候補ターゲットカップリング情報を携帯することを実行する、ターゲットカップリングリスト情報エレメントと、
有効に設定されている場合、ネットワークエレメント間のカップリングリダイレクトを実行するターゲットネットワークエレメント識別であって、前記ターゲットカップリングリスト内のターゲットネットワークエレメント識別リストに指定されたネットワークエレメントを候補ネットワークエレメントとする、前記ターゲットネットワークエレメント識別と、を含む。
【００６６】
１つの実施例において、前記リダイレクト指示は、
カップリングにリダイレクトされるユーザーの情報リストを携帯し、１つ以上のユーザー識別情報を含む、リダイレクトユーザーリスト情報エレメントと、
ユーザーがネットワークエレメントをまたいでリダイレクトされるシーンで、新しいネットワークエレメントが旧ネットワークエレメントに対してＵＥコンテキスト情報を要求することに用いられる、旧ネットワークエレメントアプリケーション識別情報エレメントと、の少なくとも１つを含む。
【００６７】
本開示実施例は、マルチトランスポートカップリングのネットワークエレメントの間で、あるカップリングに接続した１つまたは複数のユーザーの新しいＳＣＴＰカップリングへのリダイレクト、および複数のネットワークエレメントクラスタのカップリングの間でユーザーの新しいカップリングへのリダイレクトの方法をサポートし、複数のＳＣＴＰカップリングの負荷の不均衡、および一部のカップリングまたはネットワークエレメントのサービス停止（人が関与するメンテナンスによるサービス停止を含む）がもたらす性能問題やユーザーのオフラインによるユーザー体験への影響を回避する。一端のネットワークエレメントが他のＳＣＴＰカップリングにＵＥをリダイレクトすることを決定すると、ＵＥの現在のフロー状態、リダイレクト前後の新・旧カップリングが同一のネットワークエレメントに属しているかどうか、およびリダイレクトされるＵＥの数に基づいて異なる実現案を採用する。
【００６８】
フローメッセージによってトリガーされるリダイレクトは、以下を含む。
【００６９】
第１ネットワークエレメントは、ＵＥフロートリガーメッセージ（新しいサービスフローをトリガーする最初のメッセージを指す）を受信し、第１ネットワークエレメントは、現在のカップリングの状態に基づいて、該ＵＥを他のカップリングにリダイレクトすることを決定してもよい。
【００７０】
第１ネットワークエレメント内の他のカップリングまたは第１ネットワークエレメントの他の同じ種類のネットワークエレメントのカップリングにリダイレクトする場合、メッセージを受信したＳＣＴＰカップリングで「リダイレクト要求」メッセージを第２ネットワークエレメントに返信することを選択してもよく、「リダイレクト要求」メッセージには、第２ネットワークエレメントが以前に受信した初期要求メッセージが含まれる。また、「リダイレクト要求」メッセージには、「新しいカップリングフラグ」情報（例えば、新しいカップリングのＴＮＬＡ、他のネットワークエレメントへのリダイレクトを希望する場合、新しいネットワークエレメントのグローバルアプリケーション識別を携帯する）を携帯してもよく、または、新しいカップリングに関連する情報エレメントを携帯せず、第２ネットワークエレメントにターゲットカップリングを決定させる。さらに、メッセージには、ネットワークエレメントの間においてユーザーを識別することに用いられる「ユーザーアプリケーション層識別」情報も携帯される。
【００７１】
図５は本開示実施例に係るＵＥを同じネットワークエレメントの他のＳＣＴＰカップリングにリダイレクトする処理の模式図であり、図６は本開示実施例に係るＵＥを他の同じ種類のネットワークエレメントのＳＣＴＰカップリングにリダイレクトする処理の模式図であり、図５と図６に示すように、第２ネットワークエレメントは、「リダイレクト要求」中のメッセージに基づいて、ＵＥのために新しいカップリングを選択し、方法は以下である。新しいカップリングフラグ情報が新しいカップリングのＴＮＬＡ情報を示した場合、ＴＮＬＡ情報に基づいてＳＣＴＰカップリングをマッチングする。新しいネットワークエレメントのグローバルアプリケーション識別が示された場合、この情報を使用して、最初にリダイレクトのターゲットネットワークエレメントを選択し、次に第２ネットワークエレメントとターゲットネットワークエレメントの間に確立されたトランスポートカップリングの中から適切なＳＣＴＰカップリングを選択する。新しいカップリング情報エレメントが示された場合、第１ネットワークエレメント内の他のカップリングを選択する。次に、新しく選択したカップリングでリダイレクトメッセージに携帯されるメッセージを再送信し、または、リダイレクト確認メッセージを返信する。ネットワークエレメントをまたいだリダイレクトの場合、メッセージにリダイレクト前の第１ネットワークエレメントのグローバルアプリケーション識別を携帯することにより、新しいネットワークエレメントがユーザーのコンテキストを取得することが容易になる。１つの実施例において、図においてｎは、例えばＳＣＴＰカップリングの番号または第１ネットワークエレメントの番号などの番号を示す。
【００７２】
また、図７は本開示実施例に係る第１ネットワークエレメントがＵＥを本ネットワークエレメントの他のカップリングに暗黙的にリダイレクトする処理の模式図であり、図７に示すように、上述した方法で増加された２回のインタラクションの遅延を低減するために、第１ネットワークエレメントは、フロートリガーメッセージを処理した後、新しいカップリングで第２ネットワークエレメントに応答メッセージを返信することによって暗黙的にＵＥのトランスポートカップリングを変更してもよい。第２ネットワークエレメントが新しいカップリングで応答メッセージを受信した場合、第１ネットワークエレメントがＵＥを該カップリングにリダイレクトしたことを示し、したがって、第２ネットワークエレメントもＵＥのカップリング情報を該カップリングにリダイレクトする。
【００７３】
図８は本開示実施例に係る第２ネットワークエレメントの初期メッセージによるトランスポートカップリングを変更する処理の模式図であり、図８に示すように、ＵＥがあるカップリングにすでに接続したと仮定する。新しいフローが開始すると、フローを開始するネットワークエレメントが新しいカップリングでフロー要求メッセージ（または片方向の指示する性質を持つメッセージ）を送信し、ＵＥを該カップリングにリダイレクトする。メッセージを受信したネットワークエレメントも、メッセージを受信した新しいカップリングにＵＥをリダイレクトする。
【００７４】
上述したアプリケーションフローメッセージに加えて、本開示実施例は、「リダイレクト要求」と「リダイレクト確認」の２つのユーザーレベルのメッセージにも係る。「リダイレクト要求」メッセージは、
リダイレクトされたユーザーの識別に用いられる「ユーザーアプリケーション層識別」と、
「ターゲットカップリング」および／または「ターゲットインターフェース」の２つのタイプを含む「リダイレクトターゲット」と、の１つまたは複数のタイプの情報を含む。
【００７５】
「ターゲットカップリング」が有効である場合、ユーザーを本ネットワークエレメントの他のカップリングにリダイレクトすることを示す。該情報エレメントはオプションの「ターゲットＴＮＬＡ」情報エレメント、すなわちターゲットカップリングアドレスを携帯する。メッセージの中に「ターゲットＴＮＬＡ」情報エレメントが携帯されると、ユーザーは指定されたカップリングにリダイレクトし、そうでなければ該第１ネットワークエレメントの他のカップリングにリダイレクトする。
【００７６】
「ターゲットインターフェース」が有効である場合、ユーザーを第１ネットワークエレメントの他の同じ種類のネットワークエレメントのカップリングにリダイレクトすることを示す。該情報エレメントはオプションの「ターゲットネットワークエレメントグローバル識別」を携帯する。メッセージの中に「ターゲットネットワークエレメントグローバル識別」が携帯されると、ユーザーを指定されたネットワークエレメントのカップリングにリダイレクトし、そうでなければ、第２ネットワークエレメントは、該ユーザーのために適切な第１ネットワークエレメントと同じ種類のネットワークエレメントのカップリングを選択する。
【００７７】
「未処理メッセージ」情報エレメントは、第２ネットワークエレメントが第１ネットワークエレメントに送信したが、処理されていないフロートリガーメッセージを携帯する。
【００７８】
「リダイレクト確認」メッセージは、
リダイレクトされたユーザーの識別に用いられる「ユーザーアプリケーション層識別」と、
ＵＥがリダイレクトする前の元のカップリングが所属するネットワークエレメントのグローバルアプリケーション識別を携帯する、「旧ネットワークエレメントのグローバルアプリケーション識別」情報エレメントと、
第２ネットワークエレメントが第１ネットワークエレメントに送信したが、処理されていないメッセージを携帯する、「未処理メッセージ」情報エレメントと、の１つまたは複数のタイプの情報を含む。
【００７９】
ＵＥがフロー定常状態にあるリダイレクトである場合、フロー定常状態とは、ＵＥが第１ネットワークエレメントと第２ネットワークエレメントでコンテキストを確立済みで、リダイレクトがトリガーされるときに、これらのＵＥはまだ処理するサービスフローがない状態を指す。該状態において、以下のいくつかのシーンでは、一部またはすべてのユーザーを他のカップリングにリダイレクトすることを希望する。
【００８０】
第１ネットワークエレメントは監視やサービス手段を通じて、本ネットワークエレメントのいくつかのカップリングの負荷が高すぎることを発見し、これらのカップリングの一部のユーザーを低負荷のカップリングにリダイレクトすることを希望する。
【００８１】
メンテナンスまたはサービスに関するニーズのために、ある転送カップリングをクローズし、このカップリングのすべてのユーザーを他のカップリングにリダイレクトすることを希望する。
【００８２】
第１ネットワークエレメントの負荷が高すぎて、本ネットワークエレメントのユーザーが他の同じ種類のネットワークエレメントにリダイレクトすることを希望する。
【００８３】
メンテナンスまたはサービスに関するニーズのために、本第１ネットワークエレメントをシャットダウンまたはサービス停止し、ユーザーを他のネットワークエレメントにリダイレクトすることを希望する。
【００８４】
図９は本開示実施例に係る第１ネットワークエレメントが定常状態のＵＥを本ネットワークエレメント内の他のカップリングにリダイレクトすることをトリガーする処理の模式図であり、図９に示すように、第１ネットワークエレメントのあるカップリングのＵＥを第１ネットワークエレメント内の他のカップリングにリダイレクトする場合、第１ネットワークエレメントは、他のカップリングにリダイレクトされる該カップリングのＵＥを選択する。該カップリングで「リダイレクトコマンド」メッセージを第２ネットワークエレメントに送信し、メッセージには他のカップリングにリダイレクトされるＵＥの情報リストが含まれ、ネットワークエレメント内のカップリング間のリダイレクトであることを指示する。第２ネットワークエレメントは、「リダイレクトコマンド」メッセージを受信し、メッセージの中のＵＥのために適切なＳＣＴＰカップリングを選択し、第２ネットワークエレメントは、このリストの中のＵＥのために複数の新しいカップリングを選択する可能性があり、そしてリダイレクトされるＵＥを選択されたカップリングに割り当てる。第２ネットワークエレメントは、選択した新しいカップリングおよび割り当てたＵＥに基づいて「リダイレクト指示」メッセージを構築し、対応するカップリングで第１ネットワークエレメントに送信する。第１ネットワークエレメントは、リダイレクト指示メッセージの中のＵＥのリストに基づいて、対応するＵＥのカップリング情報を更新する。
【００８５】
第１ネットワークエレメントが、リダイレクトされるＵＥを選択すると同時に、リダイレクトのターゲットカップリングが選択した場合、第２ネットワークエレメントにカップリングのリダイレクトコマンドメッセージを送信すると、直ちにこれらのリダイレクトされるＵＥのカップリング情報を更新する。第２ネットワークエレメントは、リダイレクトコマンドメッセージを受信すると、メッセージの中のリダイレクトされるＵＥとリダイレクトのターゲットカップリングに基づいて、リダイレクトされるＵＥのカップリング情報を更新する。それで図９のステップ４および４ａのメッセージは、送信する必要がなく、第１ネットワークエレメントによるＵＥのカップリング情報の更新をステップ１の後に繰り上げる。
【００８６】
また、図１０は本開示実施例に係る第１ネットワークエレメントが定常状態のユーザーをネットワークエレメント内の他のカップリングにリダイレクトすることをトリガーする態様２の処理の模式図であり、図１０に示すように、第１ネットワークエレメントが１つのカップリングのユーザーを同じネットワークエレメントの他のカップリングに移動させることは、ターゲットカップリングで直接該カップリングにリダイレクトする態様を携帯するリダイレクト指示メッセージを送信することも採用してもよい。まず、第１ネットワークエレメントは、他のカップリングにリダイレクトされるユーザーのリストを選択し、これらのユーザーがリダイレクトできるターゲットカップリングを選択する。次に、これらのユーザーを適切な方法で候補のカップリングに割り当て、カップリングに割り当てられたユーザーのリストを携帯するリダイレクト指示メッセージを構築し、対応するカップリングで第２ネットワークエレメントに送信し、複数のターゲットカップリングを選択した場合、各候補のカップリングに対応するメッセージを送信する。最後に、第２ネットワークエレメントは、受信したリダイレクト指示メッセージに基づいて、メッセージを受信したカップリングに対応するユーザーのトランスポートカップリングを修正する。
【００８７】
図１１は本開示実施例に係る第１ネットワークエレメントが定常状態のＵＥをネットワークエレメント間の他のカップリングにリダイレクトすることをトリガーする処理の模式図であり、図１１に示すように、図の中の第１ネットワークエレメントｘおよびｎのように、ＵＥを第１ネットワークエレメントと同じ種類の他のネットワークエレメントにリダイレクトする場合、第１ネットワークエレメントは、他のネットワークエレメントにリダイレクトされるＵＥのリスト情報を選択する。リダイレクトメッセージを構築して第２ネットワークエレメントに送信し、メッセージにおいてこれらのＵＥがネットワークエレメントの間のカップリングリダイレクトを行うことを指示し、これらのＵＥが第１ネットワークエレメント１の複数のカップリングにそれぞれ属する場合、第１ネットワークエレメントは、これらのＵＥを１つのメッセージにまとめて送信してもよいし、異なるカップリングに従って要約し、その後、それぞれ異なるカップリングでリダイレクトメッセージを第２ネットワークエレメントに送信してもよい。第２ネットワークエレメントは、リダイレクト要求メッセージを受信し、リダイレクトされるＵＥのリストに基づいて、第２ネットワークエレメントに接続された他の第１ネットワークエレメントと同じ種類のネットワークエレメントのカップリングの負荷情報に基づいて、適切な新しいカップリングを選択し、ＵＥをこれらの新しいカップリングに割り当て、ターゲットネットワークエレメントがコンテキストを正しく取得できるように、各候補の新しいカップリングのために、割り当てられたＵＥのリスト情報とＵＥの元のサービスを提供する第１ネットワークエレメントのアプリケーション識別を携帯する、リダイレクト指示メッセージを構築する。第１ネットワークエレメントの他のインスタンス、例えば、第１ネットワークエレメントｘおよびｎは、リダイレクト応答メッセージを受信し、メッセージの中の第１ネットワークエレメントのアプリケーション識別およびＵＥの情報リストの中のＵＥ情報に基づいて、ＵＥのコンテキスト情報を取得し、ＵＥカップリングのリダイレクト操作を完了する。
【００８８】
同様に、第１ネットワークエレメントが、リダイレクトされるＵＥを選択すると同時に、そのターゲットネットワークエレメントまたはカップリングを確定し、ターゲットネットワークエレメントにＵＥのカップリング情報の更新を通知することができる場合、第２ネットワークエレメントも、第１ネットワークエレメントにカップリングリダイレクト指示メッセージを再送信して通知する必要がないため、図１１の４および４ａは、実行する必要がない。
【００８９】
該シナリオでは、本開示実施例は、「リダイレクトコマンド」および「リダイレクト指示」の２つのメッセージに係る。ここで、「リダイレクトコマンド」メッセージは、第１ネットワークエレメントが第２のネットワーク要素に対して対応するユーザーを他のカップリングにリダイレクトすることを要求することに用いられ、「リダイレクトインターフェース」および／または「リダイレクトカップリング」情報を含む。
【００９０】
「リダイレクトインターフェース」は、
有効である場合、該ネットワークエレメントのすべてのユーザーがリダイレクトされることを表す、「リダイレクトインターフェース全ユーザー」情報エレメントと、
有効である場合、該ネットワークエレメントの一部のユーザーがリダイレクトされることを表す、「リダイレクトインターフェース一部ユーザー」情報エレメントと、
リダイレクトされるユーザーの識別情報を携帯することに用いられ、１つ以上のユーザー識別情報を含んでもよい「ユーザーアプリケーション識別リスト」情報エレメントと、
リダイレクトの候補ターゲットネットワークエレメントを指定する「ターゲットネットワークエレメント識別リスト」情報エレメントであって、「ターゲットネットワークエレメント識別リスト」を指定しない場合、第２ネットワークエレメントは、負荷に応じて、第１ネットワークエレメントと同じ種類の他のネットワークエレメントをターゲットの候補ネットワークエレメントとして選択する、オプションの「ターゲットネットワークエレメント識別リスト」情報エレメントと、を含む。
【００９１】
「リダイレクトカップリング」情報は、
有効である場合、該カップリングのすべてのユーザーがリダイレクトされることを示す、「リダイレクトカップリング全ユーザー」情報エレメントと、
有効である場合、カップリングの一部のユーザーがリダイレクトされることを示す、「リダイレクトカップリング一部ユーザー」情報エレメントと、
カップリングのリダイレクトされるユーザーの識別情報を携帯することに用いられ、１つ以上のユーザー識別情報を含んでもよい「ユーザーアプリケーション識別リスト」情報エレメントと、
ネットワークエレメント内のカップリングリダイレクトが有効である場合、候補ターゲットカップリング情報を携帯することを実行する、「ターゲットカップリングリスト」情報エレメントと、
有効に設定されている場合、ネットワークエレメント間のカップリングリダイレクトを実行する「ターゲットネットワークエレメント識別」であって、ターゲットカップリングリスト内のターゲットネットワークエレメント識別リストに指定されたネットワークエレメントを候補ネットワークエレメントとする、前記ターゲットネットワークエレメント識別と、を含む。
【００９２】
「リダイレクト指示」メッセージは、第２ネットワークエレメントが第１ネットワークエレメントに対して該カップリングにリダイレクトされるユーザーの情報を指示することに用いられ、
該カップリングにリダイレクトされるユーザーの情報リストを携帯し、１つ以上のユーザー識別情報を含む、「リダイレクトユーザーリスト」情報エレメントと、
ユーザーがネットワークエレメントをまたいでリダイレクトされるシーンで、新しいネットワークエレメントが旧ネットワークエレメントに対してＵＥコンテキスト情報を要求することに用いられる、「旧ネットワークエレメントアプリケーション識別」情報エレメントと、の１つまたは複数の情報を含む。
【００９３】
本開示実施例によって、マルチＳＣＴＰカップリングを確立したネットワークエレメントの間、および同じ種類の複数のネットワークエレメントに接続された複数のＳＣＴＰカップリングの間で、ＵＥが１つのカップリングから他のカップリングにリダイレクトする問題を解決し、カップリングの間の負荷均衡を実現し、カップリングのサービス停止またはネットワークエレメントのサービス停止が発生した場合、ユーザーを新しいカップリングに動的に移動させることができるため、ユーザーサービスを中断せず、ネットワークのロバストネスと可用性を高める。第５世代ネットワーク（５  ｇｅｎｅｒａｔｉｏｎ、５Ｇ）のオリジナルクラウド環境でのカップリングの必要に応じた追加と削除およびネットワークエレメントインスタンスの柔軟性伸縮を実現することをサポートする。
【００９４】
本開示実施例では、ネットワークエレメント内とネットワークエレメントの間のカップリングの選択プロセスに係る。ネットワークエレメント内のカップリングが選択する場合、各ＳＣＴＰカップリングの現在の負荷状態に応じて、負荷が比較的に軽い１セットのカップリングを選択し、該１セットのカップリングにおいて、アプリケーション層が各カップリングに設定した重み係数に基づいて、比例公平の原則に従って１つの最終的なサービスカップリングを選択する。重み係数が設定されていない場合、ランダム公平アルゴリズムを採用して、１つのサービスカップリングを選択する。他の同じ種類のネットワークエレメントのカップリングを選択する場合、同じ種類のネットワークエレメントにおいてネットワークエレメントの負荷状態に応じて、負荷が比較的に軽い１セットのネットワークエレメントを選択し、アプリケーション層のこれらのネットワークエレメントの重み係数に基づいて、比例公平の原則に従って１つの最終的なサービスネットワークエレメントを選択する。アプリケーション層がネットワークエレメントに重み係数を設定しなかった場合、ランダム公平アルゴリズムを採用して１つのサービスエレメントを選択する。選択したネットワークエレメントで、上述したネットワークエレメント内でのカップリングを選択する方法に従ってカップリングを選択する。上述状況は毎回１つのカップリングまたは１つのネットワークエレメントのみを選択するプロセスであり、複数を選択する場合、上述したプロセスを繰り返し実行するようにしても良いし、毎回最適な複数のネットワークエレメントまたはカップリングを選択しても良い。
【００９５】
例１において、ＡＭＦは、フローにおいてネットワークエレメント内の指定カップリングにＵＥをリダイレクトすることをトリガーする。
【００９６】
図１２は本開示実施例に係るｇＮＢとＡＭＦのマルチカップリングのトランスポートネットワーキングの模式図であり、図１２に示すように、ネットワーク構成において、ｇＮＢ（ｇＮＢＩＤは１０１である）が２つのＡＭＦ（ＡＭＦ１とＡＭＦ２、グローバルユニークＡＭＦ識別（Ｇｌｏｂａｌ  Ｕｎｉｑｕｅ  ＡＭＦ  Ｉｄｅｎｔｉｆｉｅｒ、ＧＵＡＭＩ）はそれぞれ１００と２００である）に接続され、ｇＮＢと各ＡＭＦとは複数のトランスポートＳＣＴＰカップリングを確立している。ｇＮＢとＡＭＦ１が確立した３つのカップリングは、ＳＣＴＰ１、ＳＣＴＰ２とＳＣＴＰ３であり、ＡＭＦ側のトランスポートネットワーク層アドレスはそれぞれＴＮＬＡ１、ＴＮＬＡ２とＴＮＬＡ３である。ｇＮＢとＡＭＦ２が確立した２つのカップリングは、ＳＣＴＰ４とＳＣＴＰ５であり、ＡＭＦ側のトランスポートネットワーク層アドレスはそれぞれＴＮＬＡ４とＴＮＬＡ５である。
【００９７】
ＵＥがｇＮＢによって接続され、カップリングＳＣＴＰ１を選択したと仮定し、ｇＮＢがハンドオーバフローをトリガーする場合、ＡＭＦ１は、ＳＣＴＰ２に変更することをｇＮＢに指示する。図１３は本開示実施例に係るＡＭＦがフローの中でｇＮＢを指定ネットワークエレメント内のＳＣＴＰにリダイレクトすることをトリガーする連携の模式図であり、図１３に示すように、処理するプロセスは以下のとおりである。
【００９８】
ステップ１において、ｇＮＢは、ＳＣＴＰ１でＡＭＦ１にハンドオーバ要求ＨＡＮＤＯＶＥＲ  ＲＥＱＵＩＲＥＤメッセージを送信する。
【００９９】
ステップ２において、ＡＭＦ１は、ＳＣＴＰ１の負荷または他の要因を考慮し、ＵＥのトランスポートカップリングをＳＣＴＰ２に変更することを決定し、ルートリダイレクト要求ＲＯＵＴＥ  ＲＥＤＩＲＥＣＴＩＯＮ  ＲＥＱＵＥＳＴメッセージをＳＣＴＰ１でｇＮＢに送信する。メッセージには、「ＵＥアプリケーション識別」情報エレメントのｇＮＢ  ＵＥ次世代アプリケーションプロトコル（Ｎｅｘｔ  Ｇｅｎｅｒａｔｉｏｎ  Ａｐｐｌｉｃａｔｉｏｎ  Ｐｒｏｔｏｃｏｌ、ＮＧＡＰ）識別（Ｉｄｅｎｔｉｆｉｅｒ、ＩＤ）とＡＭＦ  ＵＥ  ＮＧＡＰ  ＩＤ、ＳＣＴＰ２のトランスポートアドレスＴＮＬＡ２を携帯する「ターゲットカップリング」情報エレメント、ＨＡＮＤＯＶＥＲ  ＲＥＱＵＩＲＥＤメッセージを携帯する「未処理メッセージ」情報エレメントが含まれる。
【０１００】
ステップ３において、ｇＮＢがＲＯＵＴＥ  ＲＥＤＩＲＥＣＴＩＯＮ  ＲＥＱＵＥＳＴメッセージを受信し、「ＵＥアプリケーション識別」、「ターゲットカップリング」情報と「未処理メッセージ」に基づいて、ＵＥがリダイレクトする前のユーザー識別および未処理のメッセージ情報エレメントを携帯する、ルートリダイレクト確認ＲＯＵＴＥ  ＲＥＤＩＲＥＣＴＩＯＮ  ＡＣＫＮＯＷＬＥＤＧＥメッセージを作成する。そして、ＴＮＬＡ２に基づいてＳＣＴＰ２でＡＭＦ１にメッセージＲＯＵＴＥ  ＲＥＤＩＲＥＣＴＩＯＮ  ＡＣＫＮＯＷＬＥＤＧＥを送信することを選択する。同時に、ＵＥの後続のトランスポートカップリングをＳＣＴＰ２に変更する。
【０１０１】
ステップ４において、ＡＭＦ１は、ＲＯＵＴＥ  ＲＥＤＩＲＥＣＴＩＯＮ  ＡＣＫＮＯＷＬＥＤＧＥメッセージを受信し、ＵＥのトランスポートカップリング情報を更新する。「未処理のメッセージ」情報エレメントに従って、メッセージに対応するフローで該メッセージを処理する。ＵＥのトランスポートカップリングをＳＣＴＰ２に更新する。ＡＭＦは、このプロセスでローカルのＵＥアプリケーション識別ＡＭＦ  ＵＥ  ＮＧＡＰ  ＩＤを変更してもよい。
【０１０２】
ステップ５において、ｇＮＢがフロー応答メッセージを受信した後、ＡＭＦがＵＥのアプリケーション識別を変更した場合、ｇＮＢはＵＥアプリケーション識別を更新する。
【０１０３】
例２において、ＡＭＦは、フローにおいてネットワークエレメント内の他のカップリングにＵＥをリダイレクトすることをトリガーする。
【０１０４】
ネットワーク構成は図１２に示す。ＡＭＦは、フロートリガーメッセージにおいて、ＵＥをネットワークエレメント内の他のカップリングにリダイレクトすることをトリガーし、カップリングを指定しない。図１３に示すように、処理プロセスは以下のとおりである。
【０１０５】
ステップ１において、ｇＮＢは、ＳＣＴＰ１でＡＭＦ１にＨＡＮＤＯＶＥＲ  ＲＥＱＵＩＲＥＤメッセージを送信する。
【０１０６】
ステップ２において、ＡＭＦ１は、ＳＣＴＰ１の負荷などの要因に基づき、ＵＥをネットワークエレメント内の他のトランスポートカップリングに変更することを決定し、ＲＯＵＴＥ  ＲＥＤＩＲＥＣＴＩＯＮ  ＲＥＱＵＥＳＴメッセージをｇＮＢに送信する。メッセージには、ＵＥのアプリケーション識別情報エレメントのｇＮＢ  ＵＥ  ＮＧＡＰ  ＩＤとＡＭＦ  ＵＥ  ＮＧＡＰ  ＩＤ、カップリングのＴＮＬＡ情報を指定しないターゲットカップリング情報エレメント、ＨＡＮＤＯＶＥＲ  ＲＥＱＵＩＲＥＤメッセージを携帯する未処理メッセージが含まれる。
【０１０７】
ステップ３において、ｇＮＢがＲＯＵＴＥ  ＲＥＤＩＲＥＣＴＩＯＮ  ＲＥＱＵＥＳＴメッセージを受信し、ＵＥのアプリケーション識別、ターゲットカップリング情報と未処理メッセージに基づいて、ＵＥがリダイレクトする前のユーザー識別および未処理のメッセージを携帯する、ＲＯＵＴＥ  ＲＥＤＩＲＥＣＴＩＯＮ  ＡＣＫＮＯＷＬＥＤＧＥメッセージを作成する。そして、ＡＭＦのＳＣＴＰ２とＳＣＴＰ３のカップリング負荷などの状況に基づいて、１つのトランスポートカップリング（例えば、ＳＣＴＰ３）を選択する。ＳＣＴＰ３でＡＭＦ１にメッセージＲＯＵＴＥ  ＲＥＤＩＲＥＣＴＩＯＮ  ＡＣＫＮＯＷＬＥＤＧＥを送信する。同時に、ＵＥの後続のトランスポートカップリングをＳＣＴＰ３に変更する。
【０１０８】
ステップ４において、ＡＭＦ１は、ＳＣＴＰ３でＲＯＵＴＥ  ＲＥＤＩＲＥＣＴＩＯＮ  ＡＣＫＮＯＷＬＥＤＧＥメッセージを受信し、ＵＥのトランスポートカップリング情報をＳＣＴＰ３に更新する。メッセージに対応するフローに従って「未処理のメッセージ」情報エレメントを処理する。ＡＭＦは、このプロセスでローカルのＵＥアプリケーション識別ＡＭＦ  ＵＥ  ＮＧＡＰ  ＩＤを変更してもよい。
【０１０９】
ステップ５において、ｇＮＢがフロー応答メッセージを受信した後、ＡＭＦがＵＥのアプリケーション識別を変更した場合、ｇＮＢはＵＥアプリケーション識別を更新する。
【０１１０】
例３において、ＡＭＦは、フローにおいて他のＡＭＦにＵＥをリダイレクトすることをトリガーする。
【０１１１】
ネットワーク構成は図１２に示す。ＡＭＦ１は、フロートリガーメッセージにおいて他のＡＭＦにＵＥをリダイレクトすることをトリガーする。図１４は本開示実施例に係るＡＭＦがフローの中でｇＮＢを他のＡＭＦにリダイレクトすることをトリガーする連携の模式図であり、図１４に示すように、処理プロセスは以下のとおりである。
【０１１２】
ステップ１において、ｇＮＢは、ＳＣＴＰ１でＡＭＦ１にＨＡＮＤＯＶＥＲ  ＲＥＱＵＩＲＥＤメッセージを送信する。
【０１１３】
ステップ２において、ＡＭＦ１は、ＡＭＦ１の負荷などの要因に考慮し、ＵＥを他のＡＭＦに変更することを決定し、ＲＯＵＴＥ  ＲＥＤＩＲＥＣＴＩＯＮ  ＲＥＱＵＥＳＴメッセージをｇＮＢに送信する。メッセージには、ＵＥのアプリケーション識別情報エレメントのｇＮＢ  ＵＥ  ＮＧＡＰ  ＩＤとＡＭＦ  ＵＥ  ＮＧＡＰ  ＩＤ、ＡＭＦのＧＵＡＭＩ情報を指定しないターゲットインターフェース情報エレメント、未処理メッセージのＨＡＮＤＯＶＥＲ  ＲＥＱＵＩＲＥＤメッセージコードストリームが含まれる。
【０１１４】
ステップ３において、ｇＮＢがＲＯＵＴＥ  ＲＥＤＩＲＥＣＴＩＯＮ  ＲＥＱＵＥＳＴメッセージを受信し、ＵＥのアプリケーション識別、ターゲットインターフェース情報と未処理メッセージコードストリームに基づいて、ＵＥがリダイレクトする前のユーザー識別、ＡＭＦ１のＧＵＡＭＩ情報と未処理のメッセージ情報エレメントを携帯する、ＲＯＵＴＥ  ＲＥＤＩＲＥＣＴＩＯＮ  ＡＣＫＮＯＷＬＥＤＧＥメッセージを作成する。そして、ｇＮＢの現在接続されているＡＭＦに基づいて、ＡＭＦ１を除いた後、他の適切なＡＭＦネットワークエレメント（例えば、ＡＭＦ２）を選択する。そして、ＡＭＦ２とｇＮＢの間のトランスポートカップリングＳＣＴＰ４とＳＣＴＰ５の負荷などの要因に基づいて、適切なＳＣＴＰカップリング（例えば、ＳＣＴＰ５）を選択する。ＳＣＴＰ５でＡＭＦ２にメッセージＲＯＵＴＥ  ＲＥＤＩＲＥＣＴＩＯＮ  ＡＣＫＮＯＷＬＥＤＧＥを送信する。同時に、ＵＥの後続のトランスポートカップリングをＳＣＴＰ５に変更する。
【０１１５】
ステップ４において、ＡＭＦ２は、ＳＣＴＰ５でＲＯＵＴＥ  ＲＥＤＩＲＥＣＴＩＯＮ  ＡＣＫＮＯＷＬＥＤＧＥメッセージを受信し、ＵＥのトランスポートカップリング情報をＳＣＴＰ５に更新する。メッセージの中のＧＵＡＭＩ情報に基づいて、ＡＭＦ１にコンテキスト要求（メッセージにはＵＥの元ＡＭＦのアプリケーション識別、例えば、ｇＮＢ  ＵＥ  ＮＧＡＰ  ＩＤとＡＭＦ  ＵＥ  ＮＧＡＰ  ＩＤが含まれる）を送信し、ＵＥのコンテキスト情報を取得する。
【０１１６】
ステップ５において、ＡＭＦ１は、ＡＭＦ２のコンテキスト要求を受信し、メッセージに携帯されたＵＥアプリケーション層識別に基づいて、ＵＥのコンテキスト情報を検索し、ＡＭＦ２にコンテキスト応答を返信する。
【０１１７】
ステップ６において、ＡＭＦ２は、ステップ４で受信した「未処理メッセージ」情報エレメントに基づいて、対応するフローの処理を行う。ＡＭＦ２は、このプロセスでローカルのＵＥアプリケーション識別ＡＭＦ  ＵＥ  ＮＧＡＰ  ＩＤを変更してもよい。ｇＮＢにフロー応答を返信する。
【０１１８】
ステップ７において、ｇＮＢがフロー応答メッセージを受信した後、ＡＭＦがＵＥのアプリケーション識別を変更した場合、ｇＮＢはＵＥアプリケーション識別を更新する。
【０１１９】
ステップ４および５でコンテキストを取得する態様は、分散型データなどの共有記憶態様を用いて取得してもよく、それも本開示実施例の保護範囲内にある。
【０１２０】
例４において、ＡＭＦは、フローにおいて指定ＡＭＦにＵＥをリダイレクトすることをトリガーする。
【０１２１】
ネットワーク構成は図１２に示す。ＡＭＦ１は、フロートリガーメッセージにおいて他のＡＭＦにＵＥをリダイレクトすることをトリガーする。図１４に示すように、処理プロセスは以下のとおりである。
【０１２２】
ステップ１において、ｇＮＢは、ＳＣＴＰ１でＡＭＦ１にＨＡＮＤＯＶＥＲ  ＲＥＱＵＩＲＥＤメッセージを送信する。
【０１２３】
ステップ２において、ＡＭＦ１は、ＡＭＦ１の負荷などの要因に考慮し、ＵＥを他のＡＭＦ（例えば、ＡＭＦ２）に変更することを決定し、ＲＯＵＴＥ  ＲＥＤＩＲＥＣＴＩＯＮ  ＲＥＱＵＥＳＴメッセージをｇＮＢに送信する。メッセージには、ＵＥのアプリケーション識別情報エレメントのｇＮＢ  ＵＥ  ＮＧＡＰ  ＩＤとＡＭＦ  ＵＥ  ＮＧＡＰ  ＩＤ、ＡＭＦ２のＧＵＡＭＩ情報を指定するターゲットインターフェース情報エレメント、ＨＡＮＤＯＶＥＲ  ＲＥＱＵＩＲＥＤメッセージを携帯する「未処理メッセージ」情報エレメントが含まれる。
【０１２４】
ステップ３において、ｇＮＢがＲＯＵＴＥ  ＲＥＤＩＲＥＣＴＩＯＮ  ＲＥＱＵＥＳＴメッセージを受信し、ＵＥのアプリケーション識別、ターゲットインターフェース情報と未処理メッセージコードストリームに基づいて、ＵＥがリダイレクトする前のユーザー識別、ＡＭＦ１のＧＵＡＭＩ情報と「未処理のコードストリーム」情報エレメントを携帯する、ＲＯＵＴＥ  ＲＥＤＩＲＥＣＴＩＯＮ  ＡＣＫＮＯＷＬＥＤＧＥメッセージを作成する。そして、ｇＮＢの現在接続されているＡＭＦ２において、ＡＭＦ２とｇＮＢの間のトランスポートカップリングＳＣＴＰ４とＳＣＴＰ５の負荷などの要因に基づいて、適切なＳＣＴＰカップリング（例えば、ＳＣＴＰ５）を選択する。ＳＣＴＰ５でＡＭＦ２にメッセージＲＯＵＴＥ  ＲＥＤＩＲＥＣＴＩＯＮ  ＡＣＫＮＯＷＬＥＤＧＥを送信する。同時に、ＵＥの後続のトランスポートカップリングをＳＣＴＰ５に変更する。
【０１２５】
ステップ４において、ＡＭＦ２は、ＳＣＴＰ５でＲＯＵＴＥ  ＲＥＤＩＲＥＣＴＩＯＮ  ＡＣＫＮＯＷＬＥＤＧＥメッセージを受信し、ＵＥのトランスポートカップリング情報をＳＣＴＰ５に更新する。メッセージの中のＧＵＡＭＩ情報に基づいて、ＡＭＦ１にコンテキスト要求（メッセージにはＵＥの元ＡＭＦのアプリケーション識別、例えば、ｇＮＢ  ＵＥ  ＮＧＡＰ  ＩＤとＡＭＦ  ＵＥ  ＮＧＡＰ  ＩＤが含まれる）を送信し、ＵＥのコンテキスト情報を取得する。
【０１２６】
ステップ５において、ＡＭＦ１は、ＡＭＦ２のコンテキスト要求を受信し、メッセージに携帯されたＵＥアプリケーション層識別に基づいて、ＵＥのコンテキスト情報を検索し、ＡＭＦ２にコンテキスト応答を返信する。
【０１２７】
ステップ６において、ＡＭＦ２は、ステップ４で受信した「未処理メッセージ」情報エレメントに基づいて、対応するフローの処理を行う。ＡＭＦ２は、このプロセスでローカルのＵＥアプリケーション識別ＡＭＦ  ＵＥ  ＮＧＡＰ  ＩＤを変更してもよい。ｇＮＢにフロー応答を返信する。
【０１２８】
ステップ７において、ｇＮＢがフロー応答メッセージを受信した後、ＡＭＦがＵＥのアプリケーション識別を変更した場合、ｇＮＢはＵＥアプリケーション識別を更新する。
【０１２９】
ステップ４および５でコンテキストを取得する態様は、分散型データなどの共有記憶態様を用いて取得してもよく、それも本開示実施例の保護範囲内にある。
【０１３０】
例５において、ＡＭＦは、カップリングの一部のＵＥを本ネットワークエレメントの指定カップリングにリダイレクトすることをトリガーする。
【０１３１】
ネットワーク構成は図１２に示す。ＡＭＦ１は、ＳＣＴＰ１の負荷が高すぎるなどの要因により、ＳＣＴＰ１の一部のＵＥを、ネットワークエレメント内の指定された１つまたは複数のＳＣＴＰカップリングにリダイレクトする。図１５は本開示実施例に係るＡＭＦが定常状態のカップリングのＵＥを本ＡＭＦ内のカップリング間でリダイレクトすることをトリガーする連携の模式図であり、図１５に示すように、処理プロセスは以下のとおりである。
【０１３２】
ステップ１において、ＡＭＦ１は、ＳＣＴＰ１の負荷またはサービスなどの要因に基づいて、ＳＣＴＰ１の一部のＵＥをＡＭＦ１の他のカップリングにリダイレクトすることを希望し、ユーザー体験と性能に関する点から、ＡＭＦ１は、これらの選択されたＵＥを１つまたは複数のカップリング（例えば、ＳＣＴＰ２およびＳＣＴＰ３）に移動させてもよい。ルートリダイレクトコマンドＲＯＵＴＥ  ＲＥＤＩＲＥＣＴＩＯＮ  ＣＯＭＭＡＮＤメッセージを作成し、ｇＮＢにカップリングのユーザーを指定された１つまたは複数のカップリングにリダイレクトさせることを指示する。メッセージに書き込まれる情報エレメントは、リダイレクトのＵＥのアプリケーション層識別（ｇＮＢ  ＵＥ  ＮＧＡＰ  ＩＤおよびＡＭＦ  ＵＥ  ＮＧＡＰ  ＩＤ）リストが書き込まれた「リダイレクトカップリング一部ユーザー」と、リダイレクトのターゲットカップリングＳＣＴＰ２およびＳＣＴＰ３のトランスポートアドレスＴＮＬＡ２およびＴＮＬＡ３を含む「カップリングリダイレクトターゲット」と、を含む。
【０１３３】
ステップ２において、ｇＮＢは、ＲＯＵＴＥ  ＲＥＤＩＲＥＣＴＩＯＮ  ＣＯＭＭＡＮＤメッセージに含まれるリダイレクトＵＥリストに基づいて、リダイレクトされるユーザーのカップリング情報を選択して更新する。「カップリングリダイレクトターゲット」に基づいて、「リダイレクトカップリング一部ユーザー」によって指定されたＵＥを、これらの候補カップリングに割り当て、各候補カップリングで、そのカップリングにリダイレクトされるユーザーのリスト情報が含まれる、ルートリダイレクト指示ＲＯＵＴＥ  ＲＥＤＩＲＥＣＴＩＯＮ  ＩＮＤＩＣＡＴＩＯＮメッセージを作成する。メッセージを対応するカップリングでＡＭＦに送信する。
【０１３４】
ステップ３において、ＡＭＦはＲＯＵＴＥ  ＲＥＤＩＲＥＣＴＩＯＮ  ＩＮＤＩＣＡＴＩＯＮメッセージを受信し、ＵＥのトランスポートカップリングをメッセージを受信したカップリングに更新する。
【０１３５】
例６において、ＡＭＦは、カップリングの一部のＵＥを本ネットワークエレメントの他のカップリングにリダイレクトすることをトリガーする。
【０１３６】
ネットワーク構成は図１２に示す。ＡＭＦ１は、ＳＣＴＰ１の負荷が高すぎるなどの要因により、ＳＣＴＰ１の一部のＵＥを、ネットワークエレメント内の他のＳＣＴＰカップリング（複数のカップリングであってもよい）にリダイレクトする。図１５に示すように、処理プロセスは以下のとおりである。
【０１３７】
ステップ１において、ＡＭＦ１は、ＳＣＴＰ１の負荷またはサービスなどの要因に基づいて、ＳＣＴＰ１の一部のＵＥをＡＭＦ１の他のカップリングにリダイレクトすることを希望する。ＲＯＵＴＥ  ＲＥＤＩＲＥＣＴＩＯＮ  ＣＯＭＭＡＮＤメッセージを作成し、ｇＮＢにカップリングの指定されたＵＥを本ネットワークエレメントの他のカップリングにリダイレクトさせることを指示する。メッセージに書き込まれる情報エレメントは、リダイレクトのＵＥのアプリケーション層識別（ｇＮＢ  ＵＥ  ＮＧＡＰ  ＩＤおよびＡＭＦ  ＵＥ  ＮＧＡＰ  ＩＤ）リストが書き込まれた「リダイレクトカップリング一部ユーザー」と、カップリング情報を指定せずにｇＮＢによって候補カップリングを決定される「カップリングリダイレクトターゲット」と、を含む。
【０１３８】
ステップ２において、ｇＮＢは、ＲＯＵＴＥ  ＲＥＤＩＲＥＣＴＩＯＮ  ＣＯＭＭＡＮＤメッセージに含まれるリダイレクトＵＥリストに基づいて、リダイレクトされるユーザーのカップリング情報を選択して更新する。ｇＮＢとＡＭＦ１で確立されたトランスポートカップリングに基づいて、リダイレクトの候補カップリングリスト（例えば、ＳＣＴＰ２およびＳＣＴＰ３）を選択し、リダイレクトされるユーザーをこれらの候補カップリングに割り当て、「リダイレクトカップリング一部ユーザー」によって指定されたＵＥを、これらの候補カップリングに割り当て、各候補カップリングで、そのカップリングにリダイレクトされるユーザーのリスト情報が含まれる、ＲＯＵＴＥ  ＲＥＤＩＲＥＣＴＩＯＮ  ＩＮＤＩＣＡＴＩＯＮメッセージを作成する。メッセージを対応するカップリングでＡＭＦに送信する。
【０１３９】
ステップ３において、ＡＭＦはＲＯＵＴＥ  ＲＥＤＩＲＥＣＴＩＯＮ  ＩＮＤＩＣＡＴＩＯＮメッセージを受信し、ＵＥのトランスポートカップリングをメッセージを受信したカップリングに更新する。
【０１４０】
例７において、ＡＭＦは、カップリングの全部のＵＥを本ネットワークエレメントの指定カップリングにリダイレクトすることをトリガーする。
【０１４１】
ネットワーク構成は図１２に示す。ＡＭＦ１は、ＳＣＴＰ１のメンテナンスなどの要因により、ＳＣＴＰ１の全部のＵＥを、ネットワークエレメント内の指定された１つまたは複数のＳＣＴＰカップリングにリダイレクトする。図１５に示すように、処理プロセスは以下のとおりである。
【０１４２】
ステップ１において、ＡＭＦ１は、ＳＣＴＰ１の全部のＵＥをＡＭＦ１の他のカップリングにリダイレクトすることを希望し、ユーザー体験の点から、ＡＭＦ１は、これらのリダイレクトされるユーザーを、複数のカップリング（例えば、ＳＣＴＰ２およびＳＣＴＰ３）に移動させてもよい。ＲＯＵＴＥ  ＲＥＤＩＲＥＣＴＩＯＮ  ＣＯＭＭＡＮＤメッセージを作成し、ｇＮＢにカップリングの全部のユーザーを指定されたカップリングにリダイレクトさせることを指示する。メッセージに書き込まれる情報エレメントは、「リダイレクトカップリング全ユーザー」と、リダイレクトのターゲットカップリングＳＣＴＰ２およびＳＣＴＰ３のトランスポートアドレスＴＮＬＡ２およびＴＮＬＡ３を含む「カップリングリダイレクトターゲット」と、を含む。
【０１４３】
ステップ２において、ｇＮＢは、ＲＯＵＴＥ  ＲＥＤＩＲＥＣＴＩＯＮ  ＣＯＭＭＡＮＤメッセージに含まれるリダイレクトタイプがカップリング全ユーザーであることに基づいて、該カップリングの全部のユーザーを選択してリダイレクトを行う。「カップリングリダイレクトターゲット」に基づいて、リダイレクトされるユーザーを、これらの候補カップリングに割り当て、それぞれ異なるカップリングで、カップリングにリダイレクトされるユーザーのリストが含まれる、単独のＲＯＵＴＥ  ＲＥＤＩＲＥＣＴＩＯＮ  ＩＮＤＩＣＡＴＩＯＮメッセージを作成する。メッセージを対応するカップリングでＡＭＦに送信する。
【０１４４】
ステップ３において、ＡＭＦはＲＯＵＴＥ  ＲＥＤＩＲＥＣＴＩＯＮ  ＩＮＤＩＣＡＴＩＯＮメッセージを受信し、ＵＥのトランスポートカップリングをメッセージを受信したカップリングに更新する。
【０１４５】
例８において、ＡＭＦは、カップリングの全部のＵＥを本ネットワークエレメントの他のカップリングにリダイレクトすることをトリガーする。
【０１４６】
ネットワーク構成は図１２に示す。ＡＭＦ１は、ＳＣＴＰ１のメンテナンスなどの要因により、ＳＣＴＰ１の全部のＵＥを、ネットワークエレメント内の他のＳＣＴＰカップリング（複数のカップリングであってもよい）にリダイレクトする。図１５に示すように、処理プロセスは以下のとおりである。
【０１４７】
ステップ１において、ＡＭＦ１は、ＳＣＴＰ１の全部のＵＥをＡＭＦ１の他のカップリングにリダイレクトすることを希望する。ＲＯＵＴＥ  ＲＥＤＩＲＥＣＴＩＯＮ  ＣＯＭＭＡＮＤメッセージを作成し、ｇＮＢにカップリングの全部のユーザーを他のカップリングにリダイレクトさせることを指示する。メッセージに書き込まれる情報エレメントは、「リダイレクトカップリング全ユーザー」と、カップリング情報を指定しない「カップリングリダイレクトターゲット」と、を含む。
【０１４８】
ステップ２において、ｇＮＢは、ＲＯＵＴＥ  ＲＥＤＩＲＥＣＴＩＯＮ  ＣＯＭＭＡＮＤメッセージに含まれるリダイレクトタイプがカップリング全ユーザーであることに基づいて、該カップリングの全部のユーザーを選択してリダイレクトを行う。ｇＮＢとＡＭＦ１で確立されたトランスポートカップリングに基づいて、リダイレクトの候補カップリングリスト（例えば、ＳＣＴＰ２および／またはＳＣＴＰ３）を選択し、リダイレクトされるユーザーを、候補リストのカップリングに割り当て、それぞれ異なるカップリングで、カップリングにリダイレクトされるユーザーのリストが含まれる、単独のＲＯＵＴＥ  ＲＥＤＩＲＥＣＴＩＯＮ  ＩＮＤＩＣＡＴＩＯＮメッセージを作成する。メッセージを対応するカップリングでＡＭＦ１に送信する。
【０１４９】
ステップ３において、ＡＭＦはＲＯＵＴＥ  ＲＥＤＩＲＥＣＴＩＯＮ  ＩＮＤＩＣＡＴＩＯＮメッセージを受信し、ＵＥのトランスポートカップリングをメッセージを受信したカップリングに更新する。
【０１５０】
例９において、ＡＭＦがカップリングのＵＥをＡＭＦ内の指定されたカップリングにリダイレクトする。
【０１５１】
ネットワーク構成は図１２に示す。ＡＭＦ１は、ＳＣＴＰ１の負荷またはメンテナンスなどの要因により、ＳＣＴＰ１の一部または全部のＵＥを、ネットワークエレメント内の指定された１つまたは複数のＳＣＴＰカップリングにリダイレクトする。図１６は本開示実施例に係るＡＭＦがカップリングのＵＥをＡＭＦ内の指定されたカップリングにリダイレクトする連携の模式図であり、図１６に示すように、処理プロセスは以下のとおりである。
【０１５２】
ステップ１において、ＡＭＦ１は、ＳＣＴＰ１の負荷に基づいて、ＳＣＴＰ１の一部または全部のＵＥをＡＭＦ１の他のカップリングにリダイレクトすることを希望し、ユーザー体験の点から、ＡＭＦ１は、これらのリダイレクトされるユーザーを１つまたは複数のカップリング（例えば、ＳＣＴＰ２および／またはＳＣＴＰ３）に移動させてもよい。ＳＣＴＰ１カップリングのリダイレクトされるＵＥを負荷などの要因に応じてＳＣＴＰ２および／またはＳＣＴＰ３に割り当て、各カップリングのためにＲＯＵＴＥ  ＲＥＤＩＲＥＣＴＩＯＮ  ＩＮＤＩＣＡＴＩＯＮメッセージを作成し、メッセージには対応するカップリングのリダイレクトされるＵＥのアプリケーション層識別リストが携帯され、リストエレメントには、ｇＮＢ  ＵＥ  ＮＧＡＰ  ＩＤとＡＭＦ  ＵＥ  ＮＧＡＰ  ＩＤが含まれ、ＡＭＦが同時にＡＭＦ  ＵＥ  ＮＧＡＰ  ＩＤを変更することを希望する場合、リストエレメントには、同時に、１つのＮｅｗ  ＡＭＦ  ＵＥ  ＮＧＡＰ  ＩＤが携帯される。作成済みのメッセージを対応するカップリングでｇＮＢに送信する。
【０１５３】
ステップ２において、ｇＮＢは、ＲＯＵＴＥ  ＲＥＤＩＲＥＣＴＩＯＮ  ＩＮＤＩＣＡＴＩＯＮメッセージに含まれる該カップリングにリダイレクトされるＵＥのリスト情報に基づいて、対応するＵＥのトランスポートカップリングをメッセージを受信したカップリングに更新し、メッセージには、Ｎｅｗ  ＡＭＦ  ＵＥ  ＮＧＡＰ  ＩＤが携帯されている場合、同時にそれを用いてＡＭＦ  ＵＥ  ＮＧＡＰ  ＩＤを置き換える。
【０１５４】
例１０において、ＡＭＦは、カップリングの一部のＵＥを他のＡＭＦにリダイレクトすることをトリガーする。
【０１５５】
ネットワーク構成は図１２に示す。ＡＭＦ１は、ネットワークエレメントの負荷などの要因により、ＳＣＴＰ１の一部のＵＥを、ネットワークエレメント内の他のカップリング（複数のカップリングであってもよい）にリダイレクトする。図１７は本開示実施例に係るＡＭＦがカップリングのＵＥのＡＭＦをまたいだリダイレクトをトリガーする処理プロセスの連携の模式図であり、図１７に示すように、処理プロセスは以下のとおりである。
【０１５６】
ステップ１において、ＡＭＦ１は、ＳＣＴＰ１の一部のＵＥを他のＡＭＦのカップリングにリダイレクトすることを希望する。ＲＯＵＴＥ  ＲＥＤＩＲＥＣＴＩＯＮ  ＣＯＭＭＡＮＤメッセージを作成し、ｇＮＢにカップリングの一部のＵＥを他のカップリングにリダイレクトさせることを指示する。メッセージに書き込まれる情報エレメントは、リダイレクトのＵＥのアプリケーション層識別（ｇＮＢ  ＵＥ  ＮＧＡＰ  ＩＤおよびＡＭＦ  ＵＥ  ＮＧＡＰ  ＩＤ）リストが書き込まれた「リダイレクトカップリング一部ユーザー」と、ネットワークエレメント識別情報が指定されていない「インターフェースリダイレクトターゲット」と、を含む。
【０１５７】
ステップ２において、ｇＮＢは、ＲＯＵＴＥ  ＲＥＤＩＲＥＣＴＩＯＮ  ＣＯＭＭＡＮＤメッセージに含まれる「リダイレクトカップリング一部ユーザー」を候補リダイレクトＵＥとする。ｇＮＢと他のＡＭＦで確立されたトランスポートカップリングに基づいて、リダイレクトの候補カップリングリスト、例えば、ＡＭＦ２のＳＣＴＰ４およびＳＣＴＰ５（１つまたは複数のＡＭＦ、各ＡＭＦの１つまたは複数のカップリングであってもよい）を選択し、候補リダイレクトＵＥを、候補リストのカップリングに割り当て、対応するカップリングのために、カップリングにリダイレクトされるユーザーのリストが含まれる、各自のＲＯＵＴＥ  ＲＥＤＩＲＥＣＴＩＯＮ  ＩＮＤＩＣＡＴＩＯＮメッセージを作成し、「旧ネットワークエレメントアプリケーション識別」情報エレメントにおいて、ＡＭＦ１のＧＵＡＭＩ情報を指定する。メッセージを対応するカップリングでＡＭＦ２に送信する。
【０１５８】
ステップ３において、ＡＭＦ２はＲＯＵＴＥ  ＲＥＤＩＲＥＣＴＩＯＮ  ＩＮＤＩＣＡＴＩＯＮメッセージを受信し、ＵＥのトランスポートカップリングをメッセージを受信したカップリングに更新する。ＡＭＦ２は各ユーザーに対して各ＵＥのアプリケーション識別およびＡＭＦ１のＧＵＡＭＩに基づいてＵＥのコンテキストを要求する。
【０１５９】
ステップ４において、ＡＭＦ１は、ＵＥのコンテキストアプリケーション識別に基づいて、ＵＥのコンテキスト情報を取得し、ＡＭＦ２にコンテキスト応答を返信すると同時に、ＡＭＦ１がＵＥのコンテキスト情報をクリアする。
【０１６０】
ステップ５において、ＡＭＦ２は、ＵＥのコンテキスト情報を取得すると、ＵＥのカップリング情報を更新し、ＵＥのアプリケーション識別を更新する。また、次にｇＮＢのＵＥメッセージを受信するとき、ｇＮＢは引き続きＡＭＦ１側が割り当てたＵＥのアプリケーション識別を携帯する。
【０１６１】
ステップ３および４のＵＥコンテキストを要求するプロセスに対して、分散型データベース記憶などの態様を用いてコンテキストを取得することも本開示実施例の保護範囲内にある。リダイレクトされたユーザーについて、ｇＮＢが、後続のＡＭＦ２からｇＮＢへのメッセージにおいて、ＡＭＦ２側が新しく割り当てたＵＥアプリケーション識別情報が携帯されていることを発見する可能性があり、その場合、ｇＮＢは、ＵＥのアプリケーション識別情報を迅速に更新する必要がある。
【０１６２】
例１１において、ＡＭＦは、カップリングの全部のＵＥを指定ＡＭＦにリダイレクトすることをトリガーする。
【０１６３】
ネットワーク構成は図１２に示す。ＡＭＦ１は、ＳＣＴＰ１のメンテナンスなどの要因により、ＳＣＴＰ１の全部のＵＥを、他のＡＭＦ（複数のカップリングであってもよい）にリダイレクトする。図１７に示すように、処理プロセスは以下のとおりである。
【０１６４】
ステップ１において、ＡＭＦ１は、ＳＣＴＰ１の全部のＵＥを他のＡＭＦのカップリングにリダイレクトすることを希望する。ＲＯＵＴＥ  ＲＥＤＩＲＥＣＴＩＯＮ  ＣＯＭＭＡＮＤメッセージを作成し、ｇＮＢにカップリングの全部のユーザーを他のカップリングにリダイレクトさせることを指示する。メッセージに書き込まれる情報エレメントは、「リダイレクトカップリング全ユーザー」と、ネットワークエレメント識別情報（例えば、ＡＭＦ２のＧＵＡＭＩ）を指定した「インターフェースリダイレクトターゲット」と、を含む。
【０１６５】
ステップ２において、ｇＮＢは、ＲＯＵＴＥ  ＲＥＤＩＲＥＣＴＩＯＮ  ＣＯＭＭＡＮＤメッセージに従って、該カップリングの全部のユーザーをＡＭＦ２にリダイレクトする。ｇＮＢとＡＭＦ２で確立されたトランスポートカップリングに基づいて、リダイレクトの候補カップリングリスト（例えば、ＳＣＴＰ４および／またはＳＣＴＰ５）を選択し、リダイレクトされるユーザーを、候補リストのカップリングに割り当て、それぞれ異なるカップリングで、カップリングにリダイレクトされるユーザーのリストが含まれる、単独のＲＯＵＴＥ  ＲＥＤＩＲＥＣＴＩＯＮ  ＩＮＤＩＣＡＴＩＯＮメッセージを作成し、「旧ネットワークエレメントアプリケーション識別」情報エレメントにおいて、ＡＭＦ１のＧＵＡＭＩ情報を指定する。メッセージを対応するカップリングでＡＭＦに送信する。
【０１６６】
ステップ３において、ＡＭＦ２はＲＯＵＴＥ  ＲＥＤＩＲＥＣＴＩＯＮ  ＩＮＤＩＣＡＴＩＯＮメッセージを受信し、ＵＥのトランスポートカップリングをメッセージを受信したカップリングに更新する。ＡＭＦ２は各ユーザーに対して各ＵＥのアプリケーション識別およびＡＭＦ１のＧＵＡＭＩに基づいてＵＥのコンテキストを要求する。
【０１６７】
ステップ４において、ＡＭＦ１は、ＵＥのコンテキストアプリケーション識別に基づいて、ＵＥのコンテキスト情報を取得し、ＡＭＦ２にコンテキスト応答を返信すると同時に、ＡＭＦ１がＵＥのコンテキスト情報をクリアする。
【０１６８】
ステップ５において、ＡＭＦ２は、ＵＥのコンテキスト情報を取得すると、ＵＥのカップリング情報を更新し、ＵＥのアプリケーション識別を更新する。また、次にｇＮＢのＵＥメッセージを受信するとき、ｇＮＢは引き続きＡＭＦ１側が割り当てたＵＥのアプリケーション識別を携帯する。
【０１６９】
新しいステップ３および４のＵＥコンテキストを要求するプロセスに対して、分散型データベース記憶などの態様を用いてコンテキストを取得することも本開示実施例の保護範囲内にある。リダイレクトされたユーザーについて、ｇＮＢが、後続のＡＭＦ２からｇＮＢへのメッセージにおいて、ＡＭＦ２側が新しく割り当てたＵＥアプリケーション識別情報が携帯されていることを発見する可能性があり、その場合、ｇＮＢは、ＵＥのアプリケーション識別情報を迅速に更新する必要がある。
【０１７０】
例１２において、ＡＭＦは、本ネットワークエレメントの全部のユーザーを他のＡＭＦにリダイレクトすることをトリガーする。
【０１７１】
ネットワーク構成は図１２に示す。メンテナンスとアップグレードなどが必要であるため、ＡＭＦ１をシャットダウンする可能性があり、ＡＭＦ１にすでに接続されたＵＥに影響しないために、ＡＭＦ１のユーザーを他のＡＭＦ（例えばＡＭＦ２）に移動する。図１７に示すように、処理プロセスは以下のとおりである。
【０１７２】
ステップ１において、ＡＭＦ１は、該ネットワークエレメントに接続されたＵＥを他の同じ種類のネットワークエレメントにリダイレクトすることを希望する。ｇＮＢにＲＯＵＴＥ  ＲＥＤＩＲＥＣＴＩＯＮ  ＣＯＭＭＡＮＤ（すなわち、標準におけるＡＭＦ状態指示（ＡＭＦ  Ｓｔａｔｕｓ  Ｉｎｄｉｃａｔｉｏｎ）に対応する）メッセージを送信し、メッセージにおいて書き込まれる情報エレメントは、「リダイレクトインターフェース全ユーザー」情報エレメントとＡＭＦ１がＵＥを指定されたＡＭＦ（すなわち、標準におけるバックアップＡＭＦネーム（Ｂａｃｋｕｐ  ＡＭＦ  Ｎａｍｅ）に対応する）（１つまたは複数のＡＭＦ）にリダイレクトことを希望する場合、例えば、ＡＭＦ２のＧＵＡＭＩなどのネットワークエレメント識別情報が指定され、そうでなければ、書き込まずにｇＮＢに自主的にリダイレクトターゲットＡＭＦを決める「インターフェースリダイレクトターゲット」と、を含む。ＡＭＦ１は、ｇＮＢとの複数のＳＣＴＰカップリングにおいていずれか１つのカップリングを選択してＲＯＵＴＥ  ＲＥＤＩＲＥＣＴＩＯＮ  ＣＯＭＭＡＮＤメッセージをｇＮＢに送信してもよい。
【０１７３】
ＡＭＦ１内のユーザーが複数の異なるｇＮＢに属する場合、ＡＭＦは、ＲＯＵＴＥ  ＲＥＤＩＲＥＣＴＩＯＮ  ＣＯＭＭＡＮＤメッセージを各ｇＮＢに１回送信する。
【０１７４】
ステップ２において、ｇＮＢは、ＲＯＵＴＥ  ＲＥＤＩＲＥＣＴＩＯＮ  ＣＯＭＭＡＮＤメッセージの内容に従い、「リダイレクトインターフェース全ユーザー」に基づいて、ＡＭＦ１に接続された全部のユーザーをリダイレクトされるユーザーとして選択する。
【０１７５】
「インターフェースリダイレクトターゲット」がＡＭＦを指定した場合、ＡＭＦのＧＵＡＭＩに基づいてリダイレクトの候補ネットワークエレメントを選択する。ＡＭＦが指定されなかった場合、ｇＮＢは負荷などのサービス要因に応じて、他の本ｇＮＢと接続されているＡＭＦを候補ネットワークエレメントとして選択する。選択された候補ネットワークエレメントに基づいて、これらの候補ネットワークエレメントから候補カップリングを選択する。
【０１７６】
リダイレクトされるユーザーを、これらの候補カップリングに割り当てる。各候補カップリングのためにＲＯＵＴＥ  ＲＥＤＩＲＥＣＴＩＯＮ  ＩＮＤＩＣＡＴＩＯＮメッセージを作成し、「リダイレクトユーザーリスト」リストには、該カップリングに割り当てるべきＵＥ情報リストを携帯し、各ＵＥの情報は、ＵＥのアプリケーション層識別（例えば、ｇＮＢ  ＵＥ  ＮＧＡＰ  ＩＤとＡＭＦ  ＵＥ  ＮＧＡＰ  ＩＤ）を含む。「旧ネットワークエレメントアプリケーション識別」情報エレメントに、ＵＥの元のサービスを提供するＡＭＦ（例えば、ＡＭＦ１）のＧＵＡＭＩ情報を書き込み、該メッセージを対応する候補カップリングで新しいＡＭＦ（例えば、ＡＭＦ２）に送信する。
【０１７７】
ステップ３において、ＡＭＦ２はＲＯＵＴＥ  ＲＥＤＩＲＥＣＴＩＯＮ  ＩＮＤＩＣＡＴＩＯＮメッセージを受信し、ＵＥのトランスポートカップリングをメッセージを受信したカップリングに更新する。ＡＭＦ２は各ＵＥに対して各ＵＥのアプリケーション識別およびＡＭＦ１のＧＵＡＭＩに基づいてＵＥのコンテキストを要求する。
【０１７８】
ステップ４において、ＡＭＦ１は、ＵＥのコンテキストアプリケーション識別に基づいて、ＵＥのコンテキスト情報を取得し、ＡＭＦ２にコンテキスト応答を返信すると同時に、ＡＭＦ１がＵＥのコンテキスト情報をクリアする。
【０１７９】
ステップ５において、ＡＭＦ２は、ＵＥのコンテキスト情報を取得すると、ＵＥのカップリング情報を更新し、ＵＥのアプリケーション識別を更新する。また、次にｇＮＢのＵＥメッセージを受信するとき、ｇＮＢは引き続きＡＭＦ１側が割り当てたＵＥのアプリケーション識別を携帯する。
【０１８０】
新しいステップ３および４のＵＥコンテキストを要求するプロセスに対して、分散型データベース記憶などの態様を用いてコンテキストを取得することも本開示実施例の保護範囲内にある。リダイレクトされたユーザーについて、ｇＮＢが、後続のＡＭＦ２からｇＮＢへのメッセージにおいて、ＡＭＦ２側が新しく割り当てたＵＥアプリケーション識別情報が携帯されていることを発見する可能性があり、その場合、ｇＮＢは、ＵＥのアプリケーション識別情報を迅速に更新する必要がある。
【０１８１】
例１３において、ｇＮＢが上りメッセージでＵＥのカップリングのリダイレクトをトリガーする。
【０１８２】
ネットワーク構成は図１２に示す。ＵＥがＳＣＴＰ１に既に接続されたと仮定し、ｇＮＢは、ＵＥのサービスカップリングの更新を希望すると決定した場合、ＡＭＦに上りメッセージを送信する際に、トランスポートカップリングを変更してもよく、それによってカップリングリダイレクトの目標を達成する。図１８は本開示実施例に係るｇＮＢが上りメッセージでＵＥのカップリングのリダイレクトをトリガーする連携の模式図であり、図１８に示すように、処理プロセスは以下のとおりである。
【０１８３】
ステップ１において、上りメッセージの送信があるときに、ｇＮＢは、ＵＥのカップリングをＳＣＴＰ１から他のカップリングに変更することを決定し、このときｇＮＢは、ＵＥのために適切なカップリングを選択し、このカップリングはＡＭＦ１の他のカップリングであってもよく、他のＡＭＦのカップリングであってもよい。ｇＮＢは、新しく選択されたカップリングで該メッセージを送信する。
【０１８４】
ステップ２において、ＡＭＦは、新しいカップリングでメッセージを受信すると、ｇＮＢがＵＥの送信カップリングを更新することを決定したと認識し、ＡＭＦは、ＵＥのトランスポートカップリングを、メッセージを受信したカップリングに更新する。１つの実施例において、ＡＭＦはＵＥの元のサービスを提供するカップリングが属するＡＭＦからコンテキストを取得する。
【０１８５】
例１４は、ｇＮＢがトリガーしたＵＥのリダイレクトである。
【０１８６】
ネットワーク構成は図１２に示す。ｇＮＢは、あるカップリングまたはあるＡＭＦに接続されたＵＥを他のカップリングまたは他のＡＭＦに移動させることを希望する可能性があり、図１９は本開示実施例に係るｇＮＢがトリガーしたＵＥのリダイレクト処理の連携の模式図であり、図１９に示すように、処理プロセスは以下のとおりである。
【０１８７】
ステップ１において、ｇＮＢは、リダイレクトされるＵＥ（１つまたは複数であってもよい）のために、対応するトランスポートカップリングを選択する。ＲＯＵＴＥ  ＲＥＤＩＲＥＣＴＩＯＮ  ＩＮＤＩＣＡＴＩＯＮメッセージを作成し、メッセージには、これらの選択されたリダイレクトされるＵＥの情報（ｇＮＢ  ＵＥ  ＮＧＡＰ  ＩＤ和ＡＭＦ  ＵＥ  ＮＧＡＰ  ＩＤ）を含む「リダイレクトユーザーリスト」が携帯され、選択されたユーザーがＡＭＦを変更した場合、メッセージにはＵＥの元のサービスを提供するＡＭＦのＧＵＡＭＩ情報を含む「旧ネットワークエレメントアプリケーション識別」が携帯される。そしてリダイレクトのターゲットカップリングで該メッセージを送信する。
【０１８８】
ステップ２において、ＡＭＦは、新しいカップリングでＲＯＵＴＥ  ＲＥＤＩＲＥＣＴＩＯＮ  ＩＮＤＩＣＡＴＩＯＮメッセージを受信し、メッセージに携帯されるＵＥのトランスポートカップリングを、メッセージを受信したカップリングに更新し、メッセージに「旧ネットワークエレメントアプリケーション識別」が携帯された場合、元のＡＭＦからＵＥのコンテキスト情報を取得する。
【０１８９】
実施例４
本開示の更なる実施例によれば、第１ネットワークエレメントに応用されるカップリングリダイレクト装置であって、図２０は本開示実施例に係るカップリングリダイレクト装置のブロック図であり、図２０に示すように、
ＵＥのカップリングリダイレクトをトリガーするトリガー方式を確定するように設定される確定モジュール２０２と、
確定されたトリガー方式に従って前記ＵＥに対してカップリングリダイレクトの処理を行うように設定される第１リダイレクト処理モジュール２０４と、を含む、カップリングリダイレクト装置をさらに提供する。
【０１９０】
実施例５
本開示の更なる実施例によれば、第２ネットワークエレメントに応用されるカップリングリダイレクト装置であって、図２１は本開示実施例に係る他のカップリングリダイレクト装置のブロック図であり、図２１に示すように、
第１ネットワークエレメントにＵＥのサービスフローの初期トリガーメッセージを送信するように設定される送信モジュール２１２と、
前記第１ネットワークエレメントが、前記初期トリガーメッセージを受信したカップリングでフィードバックしたリダイレクト要求を受信し、前記第２ネットワークエレメントは、前記リダイレクト要求に基づいて前記ＵＥを新しいカップリングにリダイレクトし、または、前記第１ネットワークエレメントが新しいカップリングで送信したリダイレクト確定を受信し、前記リダイレクト確定は、前記第１ネットワークエレメントが前記ＵＥを新しいカップリングにリダイレクトしたという通知情報を携帯するように設定される第１受信モジュール２１４と、を含む、カップリングリダイレクト装置をさらに提供する。
【０１９１】
実施例６
本開示の更なる実施例によれば、第２ネットワークエレメントに応用されるカップリングリダイレクト装置であって、図２２は本開示実施例に係る更なるカップリングリダイレクト装置のブロック図であり、図２２に示すように、
第１ネットワークエレメントが新しいカップリングで送信した、新しいカップリングにリダイレクトされるＵＥの情報リストを含む、リダイレクトコマンドを受信するように設定される第２受信モジュール２２２と、
前記リダイレクトコマンドに従って前記ＵＥに対してカップリングリダイレクトの処理を行うように設定される第２リダイレクト処理モジュール２２４と、を含む、カップリングリダイレクト装置をさらに提供する。
【０１９２】
実施例７
本開示実施例は、さらに記憶媒体を提供する。該記憶媒体はプログラムを記憶するために用いられ、前記プログラムが作動されると、上述したいずれか実施例に記載の方法を実行する。
【０１９３】
１つの実施例において、本実施例において、前記記憶媒体は以下ステップを実行するプログラムコードを記憶するように設定されてもよい。
【０１９４】
ステップ１１０において、第１ネットワークエレメントは、ＵＥのカップリングリダイレクトをトリガーするトリガー方式を確定する。
【０１９５】
ステップ１２０において、前記第１ネットワークエレメントは、確定されたトリガー方式に従って前記ＵＥに対してカップリングリダイレクトの処理を行う。
【０１９６】
１つの実施例において、本実施例において、前記記憶媒体は以下ステップを実行するプログラムコードを記憶するようにさらに設定されてもよい。
【０１９７】
ステップ２１０において、第２ネットワークエレメントは、第１ネットワークエレメントにＵＥのサービスフローの初期トリガーメッセージを送信する。
【０１９８】
ステップ２２０において、前記第２ネットワークエレメントは、前記第１ネットワークエレメントが、前記初期トリガーメッセージを受信したカップリングでフィードバックしたリダイレクト要求を受信し、前記第２ネットワークエレメントは、前記リダイレクト要求に基づいて前記ＵＥを新しいカップリングにリダイレクトし、または、
前記第２ネットワークエレメントは、前記第１ネットワークエレメントが新しいカップリングで送信したリダイレクト確定を受信し、前記リダイレクト確定は、前記第１ネットワークエレメントが前記ＵＥを新しいカップリングにリダイレクトしたという通知情報を携帯する。
【０１９９】
１つの実施例において、本実施例において、前記記憶媒体は以下ステップを実行するプログラムコードを記憶するようにさらに設定されてもよい。
【０２００】
ステップ３１０において、第２ネットワークエレメントは、第１ネットワークエレメントが新しいカップリングで送信した、新しいカップリングにリダイレクトされるＵＥの情報リストを含む、リダイレクトコマンドを受信する。
【０２０１】
ステップ３２０において、前記第２ネットワークエレメントは、前記リダイレクトコマンドに従って前記ＵＥに対してカップリングリダイレクトの処理を行う。
【０２０２】
１つの実施例において、本実施例において、前記コンピュータの記憶媒体は、ユニバーサルシリアルバスフラッシュディスク（Ｕｎｉｖｅｒｓａｌ  Ｓｅｒｉａｌ  Ｂｕｓ  Ｆｌａｓｈ  Ｄｉｓｋ、ＵＳＢディスク）、読み出し専用メモリー（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、可搬型ディスク、磁気ディスクあるいは光ディスクなどプログラムコードを記憶できる複数の媒体を含んでもよいが、それに限定されない。
【０２０３】
実施例８
本開示実施例は、プロセッサーを提供する。該プロセッサーはプログラムを作動させるために用いられ、該プログラムが作動されると、上述したいずれか１つの実施例の方法のステップを実行する。
【０２０４】
１つの実施例において、本実施例において、上述したプログラムは以下のステップの実行に用いられる。
【０２０５】
ステップ４１０において、第１ネットワークエレメントは、ＵＥのカップリングリダイレクトをトリガーするトリガー方式を確定する。
【０２０６】
ステップ４２０において、前記第１ネットワークエレメントは、確定されたトリガー方式に従って前記ＵＥに対してカップリングリダイレクトの処理を行う。
【０２０７】
１つの実施例において、本実施例において、上述したプログラムは以下のステップの実行にさらに用いられる。
【０２０８】
ステップ５１０において、第２ネットワークエレメントは、第１ネットワークエレメントにＵＥのサービスフローの初期トリガーメッセージを送信する。
【０２０９】
ステップ５２０において、前記第２ネットワークエレメントは、前記第１ネットワークエレメントが、前記初期トリガーメッセージを受信したカップリングでフィードバックしたリダイレクト要求を受信し、前記第２ネットワークエレメントは、前記リダイレクト要求に基づいて前記ＵＥを新しいカップリングにリダイレクトし、または、前記第２ネットワークエレメントは、前記第１ネットワークエレメントが新しいカップリングで送信したリダイレクト確定を受信し、前記リダイレクト確定は、前記第１ネットワークエレメントが前記ＵＥを新しいカップリングにリダイレクトしたという通知情報を携帯する。
【０２１０】
１つの実施例において、本実施例において、上述したプログラムは以下のステップの実行にさらに用いられる。
【０２１１】
ステップ６１０において、第２ネットワークエレメントは、第１ネットワークエレメントが新しいカップリングで送信した、新しいカップリングにリダイレクトされるＵＥの情報リストを含む、リダイレクトコマンドを受信する。
【０２１２】
ステップ６２０において、前記第２ネットワークエレメントは、前記リダイレクトコマンドに従って前記ＵＥに対してカップリングリダイレクトの処理を行う。
【０２１３】
１つの実施例において、本実施例における例は上述した実施例と実施形態において説明した例を参考できるため、ここでは繰り返し説明しない。
【０２１４】
当業者であれば、前記本開示の１つまたは複数のモジュールと１つまたは複数のステップは、汎用的な計算装置で実現可能であり、１つの計算装置に集中してもよいか、あるいは、２つの計算装置からなるネットワークに分布してもよく、１つの実施例において、計算装置における実行可能なプログラムコードで実現可能であるため、メモリー装置に記憶されて計算装置により実行してもよく、且ついくつかの状況では、ここで示すか又は説明したステップとは異なる順序で実行してもよく、あるいは、それぞれ１つまたは複数の集積回路のモジュールにし、あるいは、それらの２つのモジュール又はステップを単体の集積回路のモジュールにして実現する。これにより、本開示は特定のハードウェアとソフトウェアの組み合わせに制限されない。
【図１】
2021503747.tif 000003
【図２】
2021503747.tif 000004
【図３】
2021503747.tif 000005
【図４】
2021503747.tif 000006
【図５】
2021503747.tif 000007
【図６】
2021503747.tif 000008
【図７】
2021503747.tif 000009
【図８】
2021503747.tif 000010
【図９】
2021503747.tif 000011
【図１０】
2021503747.tif 000012
【図１１】
2021503747.tif 000013
【図１２】
2021503747.tif 000014
【図１３】
2021503747.tif 000015
【図１４】
2021503747.tif 000016
【図１５】
2021503747.tif 000017
【図１６】
2021503747.tif 000018
【図１７】
2021503747.tif 000019
【図１８】
2021503747.tif 000020
【図１９】
2021503747.tif 000021
【図２０】
2021503747.tif 000022
【図２１】
2021503747.tif 000023
【図２２】
2021503747.tif 000024
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
第１ネットワークエレメントは、ユーザー機器ＵＥのカップリングリダイレクトをトリガーするトリガー方式を確定することと、
前記第１ネットワークエレメントは、確定されたトリガー方式に従って前記ＵＥに対してカップリングリダイレクトの処理を行うことと、
を含む、カップリングリダイレクト方法。
【請求項２】
前記トリガー方式は、
フローメッセージでトリガーするリダイレクト方式と、ＵＥがフロー定常状態にあるリダイレクト方式と、を含む、請求項１に記載のカップリングリダイレクト方法。
【請求項３】
前記トリガー方式が前記フローメッセージでトリガーするリダイレクト方式である場合、前記第１ネットワークエレメントは、確定されたトリガー方式に従って前記ＵＥに対してカップリングリダイレクトの処理を行うことは、
前記第１ネットワークエレメントは、第２ネットワークエレメントが送信したＵＥサービスフローの初期トリガーメッセージを受信し、前記初期トリガーメッセージを受信したカップリングで前記第２ネットワークエレメントにリダイレクト要求をフィードバックし、前記リダイレクト要求は、前記第２ネットワークエレメントに前記ＵＥを新しいカップリングにリダイレクトさせるとともに、前記第２ネットワークエレメントに前記新しいカップリングでリダイレクト確定を送信させて前記ＵＥのカップリングを新しいカップリングに更新させるために用いられることと、
前記第１ネットワークエレメントは、前記第２ネットワークエレメントが送信した前記ＵＥサービスフローの初期トリガーメッセージを受信し、新しいカップリングで前記第２ネットワークエレメントに、前記第１ネットワークエレメントが前記ＵＥを前記新しいカップリングにリダイレクトしたという通知情報を携帯する、リダイレクト確定を送信することと、
前記第１ネットワークエレメントは、前記第２ネットワークエレメントが送信した前記ＵＥサービスフローの初期トリガーメッセージを受信し、前記ＵＥのカップリング情報を前記初期トリガーメッセージを受信したカップリングに更新することと、のいずれかを含む、請求項２に記載のカップリングリダイレクト方法。
【請求項４】
前記第１ネットワークエレメントが、新しいカップリングで前記第２ネットワークエレメントにリダイレクト確定を送信する前に、
前記第１ネットワークエレメントは、所定またはサービス要因に基づいて、前記ＵＥを前記新しいカップリングにリダイレクトすること、をさらに含む、請求項３に記載のカップリングリダイレクト方法。
【請求項５】
前記第１ネットワークエレメントが、前記ＵＥのカップリング情報を前記初期トリガーメッセージを受信したカップリングに更新した後に、
前記第１ネットワークエレメントは、前記第２ネットワークエレメントに、前記ＵＥのカップリング情報の更新が完了したことを示すために用いられる、リダイレクト確定を返信すること、をさらに含む、請求項３に記載のカップリングリダイレクト方法。
【請求項６】
前記リダイレクト要求は、
リダイレクトされたユーザーの識別に用いられるユーザーアプリケーション層識別と、
有効である場合、ユーザーを前記第１ネットワークエレメントの他のカップリングにリダイレクトするターゲットカップリングと、有効である場合、ユーザーを前記第１ネットワークエレメントの同じ種類のネットワークエレメントのカップリングにリダイレクトするターゲットインターフェースと、の２つのタイプのうちの少なくとも１つを含むリダイレクトターゲットと、
前記第２ネットワークエレメントが前記第１ネットワークエレメントに送信したが、処理されていないフロートリガーメッセージを携帯する、未処理メッセージ情報エレメントと、の少なくとも１つを含み、
前記リダイレクト確定は、
リダイレクトされたユーザーの識別に用いられるユーザーアプリケーション層識別と、
前記ＵＥがリダイレクトする前の元のカップリングが所属するネットワークエレメントのグローバルアプリケーション識別を携帯する、旧ネットワークエレメントのグローバルアプリケーション識別情報エレメントと、
前記第２ネットワークエレメントが前記第１ネットワークエレメントに送信したが、処理されていないメッセージを携帯する、未処理メッセージ情報エレメントと、の少なくとも１つを含む、請求項３〜５のいずれか１項に記載のカップリングリダイレクト方法。
【請求項７】
前記トリガー方式は前記ＵＥがフロー定常状態にあるリダイレクト方式である場合、前記第１ネットワークエレメントは、確定されたトリガー方式に従って前記ＵＥに対してカップリングリダイレクトの処理を行うことは、
前記第１ネットワークエレメントは、前記ＵＥを新しいカップリングにリダイレクトするリダイレクトタイプを確定することと、
前記第１ネットワークエレメントは、確定されたトリガー方式および前記リダイレクトタイプに従って前記ＵＥに対してカップリングリダイレクトの処理を行うことと、を含み、
前記リダイレクトタイプは、
前記第１ネットワークエレメントのカップリングのＵＥを、前記第１ネットワークエレメント内の新しいカップリングにリダイレクトすることと、
前記ＵＥを前記第１ネットワークエレメントの同じ種類のネットワークエレメントにリダイレクトすることと、を含む、請求項２に記載のカップリングリダイレクト方法。
【請求項８】
前記リダイレクトタイプは、前記第１ネットワークエレメントのカップリングのＵＥを、前記第１ネットワークエレメント内の新しいカップリングにリダイレクトする場合、前記第１ネットワークエレメントは、
前記第１ネットワークエレメントは、高負荷のカップリングの一部のＵＥを低負荷の新しいカップリングにリダイレクトすることを確定することと、
前記第１ネットワークエレメントは、メンテナンスまたはサービスに関するニーズに基づいて、クローズすべきカップリングを確定し、前記クローズすべきカップリングのすべてのＵＥを新しいカップリングにリダイレクトすることと、
のいずれかの方式で、前記ＵＥを新しいカップリングにリダイレクトするリダイレクトタイプを確定する、請求項７に記載のカップリングリダイレクト方法。
【請求項９】
前記リダイレクトタイプは、前記ＵＥを前記第１ネットワークエレメントの同じ種類のネットワークエレメントにリダイレクトする場合、前記第１ネットワークエレメントは、
前記第１ネットワークエレメントは、前記第１ネットワークエレメントの負荷が予め設定された値より大きいことを検出し、前記第１ネットワークエレメントのＵＥを前記第１ネットワークエレメントの同じ種類のネットワークエレメントにリダイレクトすることを確定することと、
前記第１ネットワークエレメントは、メンテナンスまたはサービスに関するニーズに基づいて、前記第１ネットワークエレメントにクローズまたはサービス停止することを確定し、前記第１ネットワークエレメントのＵＥを前記第１ネットワークエレメントの同じ種類のネットワークエレメントにリダイレクトすることと、
のいずれかの方式で、前記ＵＥを新しいカップリングにリダイレクトするリダイレクトタイプを確定し、
前記第１ネットワークエレメントは、確定されたトリガー方式および前記リダイレクトタイプに従って前記ＵＥに対してカップリングリダイレクトの処理を行うことは、
前記第１ネットワークエレメントは、第２ネットワークエレメントにリダイレクトコマンドを送信し、前記リダイレクトコマンドは、前記第１ネットワークエレメントの同じ種類のネットワークエレメントにリダイレクトされるＵＥの情報リストを携帯し、前記リダイレクトコマンドは、ネットワークエレメント間のカップリングリダイレクトを行う前記ＵＥを指示するために用いられること、を含む、請求項７に記載のカップリングリダイレクト方法。
【請求項１０】
前記第１ネットワークエレメントは、確定されたトリガー方式および前記リダイレクトタイプに従って前記ＵＥに対してカップリングリダイレクトの処理を行うことは、
前記第１ネットワークエレメントは、カップリングの下にあり、前記第１ネットワークエレメント内の新しいカップリングにリダイレクトされるＵＥを選択することと、
前記第１ネットワークエレメントは、前記新しいカップリングで第２ネットワークエレメントにリダイレクトコマンドを送信し、前記リダイレクトコマンドは、前記新しいカップリングにリダイレクトされるＵＥの情報リストを含み、かつ前記第１ネットワークエレメント内のカップリング間のリダイレクトであることを指示し、前記リダイレクトコマンドは、前記第２ネットワークエレメントに前記ＵＥを新しいカップリングにリダイレクトさせるために用いられることとを含む態様（１）、又は
前記第１ネットワークエレメントは、確定されたトリガー方式および前記リダイレクトタイプに従って前記ＵＥに対してカップリングリダイレクトの処理を行うことは、
前記第１ネットワークエレメントは、リダイレクトされるＵＥを選択すると同時にリダイレクトのターゲットカップリングを選択した場合、前記リダイレクトコマンドを前記第２ネットワークエレメントに送信すると同時に、前記ＵＥのカップリング情報を更新すること、を含む態様（２）、又は、
前記第１ネットワークエレメントは、確定されたトリガー方式および前記リダイレクトタイプに従って前記ＵＥに対してカップリングリダイレクトの処理を行うことは、
前記第１ネットワークエレメントは、新しいカップリングにリダイレクトされるＵＥの情報リストを選択し、前記ＵＥがリダイレクトされるターゲットカップリングを選択することと、
前記第１ネットワークエレメントは、前記ＵＥを前記ターゲットカップリングに割り当て、前記ターゲットカップリングで、カップリングリダイレクトが完了した前記ＵＥの情報リストを携帯する、リダイレクト指示を送信することと、を含む態様（３）
の少なくとも１つの態様を含む、請求項８に記載のカップリングリダイレクト方法。
【請求項１１】
前記リダイレクトコマンドは、リダイレクトインターフェース情報と、リダイレクトカップリング情報と、の少なくとも１つを含む、請求項１０に記載のカップリングリダイレクト方法。
【請求項１２】
前記リダイレクトインターフェース情報は、
有効である場合、前記第１ネットワークエレメントのすべてのユーザーがリダイレクトされる、リダイレクトインターフェース全ユーザー情報エレメントと、
有効である場合、前記第１ネットワークエレメントの一部のユーザーがリダイレクトされる、リダイレクトインターフェース一部ユーザー情報エレメントと、
リダイレクトされるユーザーの識別情報を携帯することに用いられ、１つ以上のユーザー識別情報を含むユーザーアプリケーション識別リスト情報エレメントと、
リダイレクトの候補ターゲットネットワークエレメントを指定するターゲットネットワークエレメント識別リスト情報エレメントであって、ターゲットネットワークエレメント識別リストを指定しない場合、前記第２ネットワークエレメントは、負荷に応じて、前記第１ネットワークエレメントと同じ種類のネットワークエレメントをターゲットの候補ネットワークエレメントとして選択する、前記ターゲットネットワークエレメント識別リスト情報エレメントと、のいずれかを含む、請求項１１に記載のカップリングリダイレクト方法。
【請求項１３】
前記リダイレクトカップリング情報は、
有効である場合、前記カップリングのすべてのユーザーがリダイレクトされる、リダイレクトカップリング全ユーザー情報エレメントと、
有効である場合、前記カップリングの一部のユーザーがリダイレクトされる、リダイレクトカップリング一部ユーザー情報エレメントと、
カップリングのリダイレクトされるユーザーの識別情報を携帯することに用いられ、１つ以上のユーザー識別情報を含むユーザーアプリケーション識別リスト情報エレメントと、
前記第１ネットワークエレメント内のカップリングリダイレクトが有効である場合、候補ターゲットカップリング情報を携帯することを実行する、ターゲットカップリングリスト情報エレメントと、
有効に設定されている場合、ネットワークエレメント間のカップリングリダイレクトを実行するターゲットネットワークエレメント識別であって、前記ターゲットカップリングリスト内のターゲットネットワークエレメント識別リストに指定されたネットワークエレメントを候補ネットワークエレメントとする、前記ターゲットネットワークエレメント識別と、の少なくとも１つを含む、請求項１１に記載のカップリングリダイレクト方法。
【請求項１４】
第２ネットワークエレメントは、第１ネットワークエレメントにユーザー機器ＵＥのサービスフローの初期トリガーメッセージを送信することと、
前記第２ネットワークエレメントは、前記第１ネットワークエレメントが、前記初期トリガーメッセージを受信したカップリングでフィードバックしたリダイレクト要求を受信し、前記第２ネットワークエレメントは、前記リダイレクト要求に基づいて前記ＵＥを新しいカップリングにリダイレクトし、または、前記第２ネットワークエレメントは、前記第１ネットワークエレメントが新しいカップリングで送信したリダイレクト確定を受信し、前記リダイレクト確定は、前記第１ネットワークエレメントが前記ＵＥを新しいカップリングにリダイレクトしたという通知情報を携帯することと、
を含む、カップリングリダイレクト方法。
【請求項１５】
前記第２ネットワークエレメントは、前記リダイレクト要求に基づいて前記ＵＥを新しいカップリングにリダイレクトする前に、
前記リダイレクト要求が前記新しいカップリングのフラグを携帯する場合、前記第２ネットワークエレメントは、前記新しいカップリングのフラグに基づいて、前記新しいカップリングをマッチングすることと、
前記リダイレクト要求が前記新しいカップリングのフラグを携帯しなかった場合、前記第２ネットワークエレメントの決定で前記新しいカップリングを確定することと、をさらに含み、
前記第２ネットワークエレメントは、前記新しいカップリングのフラグに基づいて、前記新しいカップリングをマッチングすることは、
前記新しいカップリングのフラグが、新しいカップリングのトランスポートネットワーク層アドレスＴＮＬＡ情報を示す場合、前記第２ネットワークエレメントは、前記ＴＮＬＡ情報に基づいて新しいカップリングをマッチングすることと、
前記新しいカップリングのフラグが、新しいネットワークエレメントのグローバルアプリケーション識別を示す場合、前記第２ネットワークエレメントは、前記新しいネットワークエレメントのグローバルアプリケーション識別に基づいてリダイレクトのターゲットネットワークエレメントを選択し、前記ターゲットネットワークエレメントとの間で確立されたトランスポートカップリングにおいて新しいカップリングを選択することと、
前記新しいカップリングのフラグが、新しいカップリングの情報エレメントを示す場合、前記第２ネットワークエレメントは、前記第１ネットワークエレメント内の現在のカップリング以外のカップリングを選択して新しいカップリングとすることと、を含む、請求項１４に記載のカップリングリダイレクト方法。
【請求項１６】
前記第２ネットワークエレメントは、前記リダイレクト要求に基づいて前記ＵＥを新しいカップリングにリダイレクトする後に、
前記第２ネットワークエレメントは、新しいカップリングでリダイレクト要求を再送信し、または、リダイレクト確定を返信すること、をさらに含む、請求項１４に記載のカップリングリダイレクト方法。
【請求項１７】
前記リダイレクト要求は、前記ＵＥを識別することに用いられるユーザーアプリケーション層識別をさらに携帯する、請求項１４に記載のカップリングリダイレクト方法。
【請求項１８】
第１ネットワークエレメントに応用されるカップリングリダイレクト装置であって、
プロセッサと、
プロセッサにより実行される時、
ユーザー機器ＵＥのカップリングリダイレクトをトリガーするトリガー方式を確定するように設定される確定モジュール、
確定されたトリガー方式に従って前記ＵＥに対してカップリングリダイレクトの処理を行うように設定されるリダイレクト処理モジュールを含むプロセッサ実行可能なプログラムを格納する記憶媒体と、を含むカップリングリダイレクト装置。
【請求項１９】
第２ネットワークエレメントに応用されるカップリングリダイレクト装置であって、
プロセッサと、
プロセッサにより実行される時、
第１ネットワークエレメントにユーザー機器ＵＥのサービスフローの初期トリガーメッセージを送信するように設定される送信モジュール、
前記第１ネットワークエレメントが、前記初期トリガーメッセージを受信したカップリングでフィードバックしたリダイレクト要求を受信し、前記第２ネットワークエレメントは、前記リダイレクト要求に基づいて前記ＵＥを新しいカップリングにリダイレクトし、または、前記第１ネットワークエレメントが新しいカップリングで送信したリダイレクト確定を受信し、前記リダイレクト確定は、前記第１ネットワークエレメントが前記ＵＥを新しいカップリングにリダイレクトしたという通知情報を携帯するように設定される受信モジュールを含むプロセッサ実行可能なプログラムを格納する記憶媒体と、を含む、カップリングリダイレクト装置。
【請求項２０】
記憶したプログラムを含む記憶媒体であって、前記プログラムが作動されると、請求項１〜１７のいずれか１項に記載のカップリングリダイレクト方法を実行する、記憶媒体。
【国際調査報告】
2021503747.tif 000025
2021503747.tif 000026
2021503747.tif 000027
2021503747.tif 000028
2021503747.tif 000029
2021503747.tif 000030